(57)【要約】【課題】ＲＥ層又はＲ層に記録された情報を読み出すことにより、ＲＯＭ層に記録された情報も読み出すことが可能な記録再生装置等を実現する。【解決手段】光ディスク装置１は、情報を読み出すことのみ可能なＲＯＭ層と、情報を追記録することが又は情報を書き換えることが可能なＲＥ層又はＲ層と、を備えた光ディスク１００に対して情報の記録または再生を行う光ディスク装置１であって、ＲＯＭ層に記録されている情報である登録情報を読み出す映像情報読出部２４と、映像情報読出部２４が読み出した登録情報の少なくとも一部を、ＲＥ層に記録されているファイルを管理するためのファイル管理情報の記録開始位置よりも外周側に記録させる選択映像記録制御部２７と、を備える。これにより、光ディスク装置１は、ＲＥ層又はＲ層に記録された情報を読み出すことにより、ＲＯＭ層に記録された情報を効率的に読み出すことが可能となる。【選択図】図１
2011118978.tif 000002
【特許請求の範囲】
【請求項１】
情報を読み出すことのみ可能な第１情報記録層と、情報を追記録することが又は情報を書き換えることが可能な第２情報記録層と、を備えた光ディスクに対して情報の記録または再生を行う記録再生装置であって、
上記第１情報記録層に記録されている情報である登録情報を読み出す読出手段と、
上記読出手段が読み出した上記登録情報の少なくとも一部を、上記第２情報記録層に記録されているファイルを管理するためのファイル管理情報の記録開始位置よりも外周側に記録させる記録制御手段と、を備えることを特徴とする記録再生装置。
【請求項２】
上記登録情報は、上記第１情報記録層に記録されたファイル管理情報を含むことを特徴とする請求項１に記載の記録再生装置。
【請求項３】
上記登録情報は、当該登録情報のインデックスを含むことを特徴とする請求項１に記載の記録再生装置。
【請求項４】
上記登録情報は、複数のアングルから撮影されたマルチアングル映像に関する情報であるマルチアングル映像情報を含み、
上記マルチアングル映像情報は、一のアングルから撮影されたシングルアングル映像に関する情報であるシングルアングル映像情報を上記複数のアングルそれぞれについて有しており、
上記読出手段が読み出した上記マルチアングル映像情報の少なくとも一部を表示装置に表示させる表示制御手段と、
上記表示制御手段によって表示された上記マルチアングル映像情報から、視聴を希望する１又は複数のシングルアングル映像情報をユーザに選択させる選択手段と、を備え、
上記記録制御手段は、上記選択手段がユーザに選択させた上記１又は複数のシングルアングル映像情報を選択済シングルアングル映像情報として上記第２情報記録層に記録させることを特徴とする請求項１に記載の記録再生装置。
【請求項５】
上記選択済シングルアングル映像情報は、上記１又は複数のシングルアングル映像情報がリスト化されたプレイリストであることを特徴とする請求項４に記載の記録再生装置。
【請求項６】
上記表示制御手段によって表示されるシングルアングル映像情報は、そのシングルアングル映像情報に対応するシングルアングル映像の属性を示すシングルアングル映像属性情報を含むことを特徴とする請求項４又は５に記載の記録再生装置。
【請求項７】
上記記録制御手段は、上記シングルアングル映像と当該シングルアングル映像に関する上記シングルアングル映像属性情報とを対応付けて上記第２情報記録層に記録させることを特徴とする請求項６に記載の記録再生装置。
【請求項８】
上記記録制御手段は、上記１又は複数のシングルアングル映像情報を、シングルアングル映像が撮影された時間の順に上記第２情報記録層に記録させることを特徴とする請求項４〜７の何れか１項に記載の記録再生装置。
【請求項９】
上記表示制御手段は、上記マルチアングル映像情報のすべてを上記表示装置の一画面内に表示させることを特徴とする請求項４〜８の何れか１項に記載の記録再生装置。
【請求項１０】
上記選択手段がユーザに選択させた複数のシングルアングル映像情報を連続して再生する場合であって、再生される順序が隣り合う２つのシングルアングル映像情報の間に再生時間の非連続性が生じる場合に、その非連続性を埋めるための接続画像を挿入する挿入手段を備えることを特徴とする請求項４〜９の何れか１項に記載の記録再生装置。
【請求項１１】
上記接続画像は、上記第１情報記録層に記録されていることを特徴とする請求項１０に記載の記録再生装置。
【請求項１２】
上記接続画像は、外部に接続したネットワークを介して取得されるものであり、
上記記録制御手段は、上記接続画像を上記第２情報記録層に記録させることを特徴とする請求項１０に記載の記録再生装置。
【請求項１３】
上記選択手段がユーザに選択させた上記選択済シングルアングル映像情報、または、上記表示制御手段によって表示された上記マルチアングル映像情報から、視聴を希望する１又は複数のシングルアングル映像情報を選択する選択例が、上記第２情報記録層に記録されている場合に、
上記表示制御手段は、上記選択手段がユーザに選択させた結果を示す情報である選択結果情報、または、上記選択例を上記表示装置に表示させることを特徴とする請求項４〜１２の何れか１項に記載の記録再生装置。
【請求項１４】
上記表示制御手段によって表示された上記マルチアングル映像情報から視聴を希望する１又は複数のシングルアングル映像情報を選択する選択例、または、上記選択手段がユーザに選択させた上記選択済シングルアングル映像情報が上記光ディスクに記録されており、
上記表示制御手段は、上記読出手段が読み出した上記マルチアングル映像情報の少なくとも一部と共に、上記選択例、または、上記選択済シングルアングル映像情報を上記表示装置に表示させることを特徴とする請求項４〜１２の何れか１項に記載の記録再生装置。
【請求項１５】
情報を読み出すことのみ可能な第１情報記録層と、情報を追記録することが又は情報を書き換えることが可能な第２情報記録層と、を備えた光ディスクであって、
上記第１情報記録層に記録されている情報である登録情報の少なくとも一部が、上記第２情報記録層に記録されているファイルを管理するためのファイル管理情報の記録開始位置よりも外周側に記録されていることを特徴とする光ディスク。
【請求項１６】
請求項４〜１４の何れか１項に記載の記録再生装置に使用される光ディスクであって、上記第２情報記録層には、シングルアングル映像が再生される時間の順に上記１又は複数のシングルアングル映像情報が記録されていることを特徴とする光ディスク。
【請求項１７】
請求項４〜１４の何れか１項に記載の記録再生装置に使用される光ディスクであって、上記第１情報記録層には、上記マルチアングル映像情報が再生される時間の順に区切られて記録されていることを特徴とする光ディスク。
【請求項１８】
請求項４〜１４の何れか１項に記載の記録再生装置に使用される光ディスクであって、上記第１情報記録層には、撮影されたアングルごとに上記マルチアングル映像情報が記録されていることを特徴とする光ディスク。
【請求項１９】
請求項４〜１４の何れか１項に記載の記録再生装置に使用される光ディスクであって、
上記選択済シングルアングル映像情報が再生される際に、その再生順序を示す情報である再生順序情報が上記第１情報記録層に記録されていることを特徴とする光ディスク。
【請求項２０】
情報を読み出すことのみ可能な第１情報記録層と、情報を追記録することが又は情報を書き換えることが可能な第２情報記録層と、を備えた光ディスクに対して情報の記録または再生を行う記録再生装置の制御方法であって、
上記第１情報記録層に記録されている情報である登録情報を読み出す読出ステップと、
上記読出ステップにて読み出された上記登録情報の少なくとも一部を、上記第２情報記録層に記録されているファイルを管理するためのファイル管理情報の記録開始位置よりも外周側に記録させる記録制御ステップと、を含むことを特徴とする記録再生装置の制御方法。
【請求項２１】
情報を読み出すことのみ可能な第１情報記録層と、情報を追記録することが又は情報を書き換えることが可能な第２情報記録層と、を備えた光ディスクに対して情報の記録または再生を行う記録再生装置の制御プログラムであって、
上記第１情報記録層に記録されている情報である登録情報を読み出す読出ステップと、
上記読出ステップにて読み出された上記登録情報の少なくとも一部を、上記第２情報記録層に記録されているファイルを管理するためのファイル管理情報の記録開始位置よりも外周側に記録させる記録制御ステップと、をコンピュータに実行させるための記録再生装置の制御プログラム。
【発明の詳細な説明】
【技術分野】
【０００１】
本発明は、記録特性の異なる情報記録層を複数備え、ＲＥ層又はＲ層に記録された情報を読み出すことにより、ＲＯＭ層に記録された情報も読み出すことが可能な記録再生装置、光ディスク、記録再生装置の制御方法、及び記録再生装置の制御プログラムに関する。
【背景技術】
【０００２】
近年、ＯＳ（Operating System）やアプリケーション等のセキュリティーを向上させる目的や、より使いやすいものにバージョンアップする目的で、インターネット等を利用して、頻繁に更新情報などをインストールする機会が多くなってきている。
【０００３】
さらに、近年、光ディスク等の光情報記録媒体は、その記録容量が増大しており、例えば、一枚のＤＶＤ−ＲＯＭ（Digital Versatile Disc - Read Only Memory）で約２００分程度の映像／音声データを記録できるようになってきている。今後は、Ｂｌｕ−ｒａｙ Ｄｉｓｃ（登録商標）などの登場に伴い、光ディスクの記録容量が益々増大し、一枚の光ディスクにハイビジョン画質では２〜３時間、標準画質では４〜１０時間にも及ぶ映像／音声データの記録が可能となるものと考えられる。
【０００４】
このような背景のもと、記録容量が増大した光ディスク等の光情報記録媒体に更新情報を記録し、当該光情報記録媒体を常に最新版にアップデートさせておく技術が進展している。そのような技術は、例えば特許文献１、２に開示されている。
【０００５】
具体的に、特許文献１の記録媒体システム（ＤＶＤシステム）は、ＲＯＭ領域とＲＡＭ領域とを備え、基礎データをＲＯＭ領域に記録し、ネットワークを介して受信した追加・更新・削除情報をＲＡＭ領域に書き込んでいる。そして、当該ＤＶＤシステムは、ＲＯＭ領域およびＲＡＭ領域のデータを読み出し、各々のデータを連携・同期させて最新版のＤＶＤディスクと同様に出力しており、これにより、ＤＶＤディスクを常に最新版のディスクとして利用することを可能にしている。
【０００６】
特許文献２に記載の、ネットワーク上で電子コンテンツにアクセスする方法では、識別シグネチャあるいは暗号化情報が設けられた認証用ハイブリッド光ディスクにより、ネットワーク上のコンテンツ供給者のデータベースにユーザがアクセスし、取得したコンテンツが光ディスクのＲＡＭ領域に保存される。これにより、安全かつ便利にネットワーク上の情報にアクセスし、取得した最新情報をＲＡＭ領域に保存することを可能にしている。
【０００７】
他の特許文献として、特許文献３には、取得した更新情報等を管理する方法が開示されている。具体的に、特許文献３のディスク記録装置は、フォーマット時にＲＡＭ領域にファイル管理領域を設け、ＲＯＭ領域に記録されていたファイル管理情報をＲＡＭ領域に転写し、ＲＡＭ領域に記録する毎にファイル管理情報を更新している。これにより、ＲＯＭ領域およびＲＡＭ領域に記録されたデータファイルを一元管理し、取得情報の管理を容易にしている。
【０００８】
また、特許文献４に記載の光ディスク再生装置は、マルチアングル映像が記録された光ディスクの再生中に、選択されたアングル映像を自装置が備える不揮発性メモリに記憶して、その光ディスクを再び再生するとき、記憶されているアングル映像を上記不揮発性メモリから再生する。そして、当該光ディスク再生装置は、以前に視聴したときと同じアングル映像を視聴することができるようにし、かつ、記憶されているアングル映像を変更或いは消去することを可能としている。
【０００９】
また、特許文献５に記載のマルチアングル再生装置は、マルチアングル映像が記録された光ディスクを再生する際、アングル映像データを表示データとして格納し、この複数の表示データのそれぞれを１画面内に表示してユーザに選択させ、通常再生とアングル再生を自動で行うことを可能としている。
【先行技術文献】
【特許文献】
【００１０】
【特許文献１】特開平１１−１４４３２２号公報（１９９９年５月２８日公開）
【特許文献２】特開２００３−１０００１３号公報（２００３年４月４日公開）
【特許文献３】特開平７−１８２２１８号公報（１９９５年７月２１日公開）
【特許文献４】特開２００２−２５２８３３号公報（２００２年９月６日公開）
【特許文献５】特許第３７６５７２４号（平成１８年２月３日登録）
【発明の概要】
【発明が解決しようとする課題】
【００１１】
しかしながら、特許文献２の技術は、認証・内容閲覧表示のためにネットワークへ接続することを前提とするものであり、かつ、ＲＯＭ領域から起動するため、ＲＯＭ領域とＲＡＭ領域との信号の往来が頻繁になる。さらに、ディスクは認証用に利用され、コンテンツそのものは媒体に記録されていないため、コンテンツのダウンロードに多大な時間を要し、ユーザにとって利便性に欠ける。
【００１２】
また、特許文献１・３では、ＲＯＭ領域およびＲＡＭ領域は同一の層に設けられ、記録されたデータファイルは一元管理されている。従って、特許文献１・３の技術では、情報記録層が多層化され、ＲＯＭ領域およびＲＡＭ領域が異なる層に設けられた場合に、両層をまたいだ一元管理は困難である。また、ディスクの中間に位置するＲＡＭ領域にファイル管理領域が設けられているため、ディスク導入時にまず、もともとＲＯＭ領域に記録されているファイル管理領域の情報が読み出されることになる。従って、ＲＯＭ領域に記録されていたファイル管理情報をＲＡＭ領域に転写しても、実質的に一元管理に利用される可能性は低い。さらに、ＲＯＭ領域のファイル管理情報がＲＡＭ領域のファイル管理情報の前（内周側）に転写されるため、ユーザの指示を示す情報が記録されるＲＡＭ領域のファイル管理情報を読み込む前に、必要のないＲＯＭ層の管理情報を読み込むことになり、無駄な動作による処理速度の低下や消費電力の増加を招くという問題がある。
【００１３】
そして、特許文献４・５では、情報記録媒体のＲＯＭ層に記録されたアングル映像であって、ユーザが視聴を希望するアングル映像が、記録再生装置側の記録媒体に記録される。それゆえ、上記情報記録媒体を他の記録再生装置に挿入した場合、ユーザは、上記他の記録再生装置で再度アングル映像を選択しなければならず、ユーザに過度な負担をかけるものであった。これは、ユーザが視聴を希望するアングル映像を情報記録媒体に記録することができない、つまり、アングル映像に関して、情報記録媒体および記録再生装置側の記録媒体に記録されており、情報記録媒体に関する情報の一元化ができないという問題に起因して生じる問題であった。
【００１４】
本発明は、上記の問題を解決するためになされたものであり、その目的は、情報記録層が多層化された情報記録媒体において、情報を追記録することが又は情報を書き換えることが可能な情報記録層に記録された情報を読み出すことにより、情報を読み出すことのみ可能な情報記録層に記録された登録情報を効率的に読み出すことを可能とする記録再生装置、光ディスク、記録再生装置の制御方法、及び記録再生装置の制御プログラムを提供することにある。
【課題を解決するための手段】
【００１５】
本発明に係る記録再生装置は、
情報を読み出すことのみ可能な第１情報記録層と、情報を追記録することが又は情報を書き換えることが可能な第２情報記録層と、を備えた光ディスクに対して情報の記録または再生を行う記録再生装置であって、
上記第１情報記録層に記録されている情報である登録情報を読み出す読出手段と、
上記読出手段が読み出した上記登録情報の少なくとも一部を、上記第２情報記録層に記録されているファイルを管理するためのファイル管理情報の記録開始位置よりも外周側に記録させる記録制御手段と、を備えることを特徴としている。
【００１６】
また、本発明に係る光ディスクは、
情報を読み出すことのみ可能な第１情報記録層と、情報を追記録することが又は情報を書き換えることが可能な第２情報記録層と、を備えた光ディスクであって、
上記第１情報記録層に記録されている情報である登録情報の少なくとも一部が、上記第２情報記録層に記録されているファイルを管理するためのファイル管理情報の記録開始位置よりも外周側に記録されていることを特徴としている。
【００１７】
また、本発明に係る記録再生装置の制御方法は、
情報を読み出すことのみ可能な第１情報記録層と、情報を追記録することが又は情報を書き換えることが可能な第２情報記録層と、を備えた光ディスクに対して情報の記録または再生を行う記録再生装置の制御方法であって、
上記第１情報記録層に記録されている情報である登録情報を読み出す読出ステップと、
上記読出ステップにて読み出された上記登録情報の少なくとも一部を、上記第２情報記録層に記録されているファイルを管理するためのファイル管理情報の記録開始位置よりも外周側に記録させる記録制御ステップと、を含むことを特徴としている。
【００１８】
上記構成によれば、本発明に係る記録再生装置に挿入される光ディスクは、第１及び第２情報記録層を備え、第１情報記録層は、情報を読み出すことのみ可能な情報記録層であり、第２情報記録層は、情報を追記録することが又は情報を書き換えることが可能な情報記録層である。そして、当該記録再生装置では、読出手段が第１情報記録層に記録されている登録情報を読み出し、記録制御手段が当該登録情報の少なくとも一部を第２情報記録層に記録させる構成である。
【００１９】
従って、第２情報記録層への読出動作のみで当該第２情報記録層に記録された登録情報の少なくとも一部（以下、第２情報記録層に記録された登録情報の少なくとも一部を「複写情報」と称する。）を読み出すことができ、第１情報記録層への読出動作が不要となる。これにより、第１情報記録層と第２情報記録層との間を層間ジャンプして、上記複写情報を第１情報記録層から読み出す必要もなくなり、記録再生装置の処理速度を速めることができる。
【００２０】
さらに、本発明に係る記録再生装置では、上記複写情報は、第２情報記録層に記録されているファイルを管理するためのファイル管理情報の記録開始位置よりも外周側に記録される構成である。
【００２１】
従って、本発明に係る記録再生装置に上記光ディスクが挿入された際に、まず上記第２情報記録層のファイル管理情報が読み込まれることになる。ここで、一般的に、ファイル管理情報はユーザの指示等が記録されることになるため、当該指示等に基づいて他の情報を読み込めばよいこととなり、第１及び第２情報記録層に記録された各種情報の実質的な一元管理が可能となる。そして、ユーザの指示等が記録されているファイル管理情報が複写情報よりも先に読み込まれることになるため、必要のない複写情報を読み込むことによって生じる、無駄な動作による処理速度の低下や消費電力の増加といった特許文献１・３の課題を解決することができる。また、登録情報を記録再生装置側のメモリに記録する必要がなくなるため、特許文献４・５の技術では解決できなかった、光ディスク側で情報の一元管理を実現することができる。
【００２２】
このような理由により、本発明に係る記録再生装置では、装置自体の処理速度を速めることができ、さらに、第２情報記録層に記録される複写情報を第１情報記録層から読み出す動作を省略することができることから、動作回数を低減でき、その結果、記録再生装置に発生する故障等の頻度を抑えることができる。
【００２３】
加えて、上記複写情報は、記録再生装置側のメモリではなく、光ディスクの第２情報記録層に記録される。それゆえ、本発明に係る記録再生装置から上記光ディスクを取り出した時点で第２情報記録層に複写情報が記録されているため、その光ディスクを他の記録再生装置で使用する場合においても、第２情報記録層に記録された情報を読み出すだけで、本来第１情報記録層に記録されている複写情報を読み出すことが可能となる。これにより、上記他の記録再生装置においても、第１情報記録層への読出動作を省略することができるため、装置の処理速度を速めることができる。
【００２４】
さらに、ＯＳやアプリケーション等のセキュリティーを向上させる目的や、より使いやすいものにバージョンアップすることを目的として更新（最新）情報を取得し、その更新情報を光ディスクに記録する場合、情報を追記録することが又は情報を書き換えることが可能な第２情報記録層に更新情報が記録される。それゆえ、複写情報が第２情報記録層に記録されていることにより、複写情報や更新情報等を第２情報記録層において一元的に管理できるようになるという効果を奏する。これにより、複写情報や更新情報等を記録再生装置側の記録媒体に記録する必要がなくなり、特許文献４・５が解決できなかった、光ディスク側での情報の一元管理を実現することができる。
【００２５】
さらに、本発明に係る記録再生装置では、
上記登録情報は、上記第１情報記録層に記録されたファイル管理情報を含むことが好ましい。
【００２６】
上記構成によれば、第２情報記録層への情報の読出動作のみにより、第１情報記録層に記録されていたファイル管理情報を読み出すことが可能となる。つまり、第１情報記録層からファイル管理情報を読み出す動作、及びその動作に要する処理時間を削減することができる。
【００２７】
なお、ファイル管理情報は、上記光ディスクに記録されたファイルを管理するための情報である。また、第２情報記録層は、情報を追記録することが又は情報を書き換えることが可能な情報記録層であって、更新情報や新たな情報（ファイル）は第２情報記録層に追記録されていく。
【００２８】
従って、第２情報記録層にファイル管理情報が記録されていれば、そのファイル管理情報を更新することも可能となり、ユーザにとって光ディスクに記録されたファイルの管理が容易になるという効果を奏する。
【００２９】
さらに、本発明に係る記録再生装置では、
上記登録情報は、当該登録情報のインデックスを含むことが好ましい。
【００３０】
一般に、インデックスとは、情報（データ）の検索速度を向上させるために、どの情報がどこに存在するかを示した索引、テーブル、見出し等のことを言う。
【００３１】
従って、上記構成により、第２情報記録層に登録情報のインデックスが記録されるため、第２情報記録層への読み出し動作のみにより、登録情報のインデックスを確認することができるようになる。
【００３２】
それゆえ、ユーザは、第１情報記録層に記録されている登録情報を効率的に検索することができるという効果を奏する。
【００３３】
さらに、本発明に係る記録再生装置では、
上記登録情報は、複数のアングルから撮影されたマルチアングル映像に関する情報であるマルチアングル映像情報を含み、
上記マルチアングル映像情報は、一のアングルから撮影されたシングルアングル映像に関する情報であるシングルアングル映像情報を上記複数のアングルそれぞれについて有しており、
上記読出手段が読み出した上記マルチアングル映像情報の少なくとも一部を表示装置に表示させる表示制御手段と、
上記表示制御手段によって表示された上記マルチアングル映像情報から、視聴を希望する１又は複数のシングルアングル映像情報をユーザに選択させる選択手段と、を備え、
上記記録制御手段は、上記選択手段がユーザに選択させた上記１又は複数のシングルアングル映像情報を選択済シングルアングル映像情報として上記第２情報記録層に記録させることが好ましい。
【００３４】
上記構成によれば、表示制御手段は、読出手段が読み出したマルチアングル映像情報の少なくとも一部を表示装置に表示させる。そして、選択手段は、表示装置に表示された上記マルチアングル映像情報の少なくとも一部の中から、視聴を希望する１又は複数のシングルアングル映像情報をユーザに選択させる。そのうえで、記録制御手段は、選択手段がユーザに選択させた上記１又は複数のシングルアングル映像情報を上記第２情報記録層に記録させる。その結果、ユーザが視聴を希望する１又は複数のシングルアングル映像情報が選択済シングルアングル映像情報として第２情報記録層に記録されることになる。
【００３５】
従って、上記光ディスクを他の記録再生装置に挿入した場合には、シングルアングル映像情報の選択動作を再びユーザに要求することなく、本発明に係る記録再生装置において選択されて第２情報記録層に記録された選択済シングルアングル映像情報をユーザに視聴させることができる。
【００３６】
このように、上記構成により、利便性に優れた記録再生装置をユーザに提供することができる。
【００３７】
さらに、本発明に係る記録再生装置では、
上記選択済シングルアングル映像情報は、上記１又は複数のシングルアングル映像情報がリスト化されたプレイリストであることが好ましい。
【００３８】
上記構成によれば、マルチアングル映像情報からシングルアングル映像情報を再度選択する動作をユーザに要求することなく、第２情報記録層に記録された選択済シングルアングル映像情報をユーザに視聴させることができる。しかも、選択済シングルアングル映像情報はリスト化されたプレイリストとして記録されているため、必要とする記録容量は少なくて済み、多くの選択済シングルアングル映像情報を第２情報記録層に記録することが可能となる。そして、空いた記録容量をバージョンアップ情報等の記録に活用することもできる。
【００３９】
なお、プレイリストとは、ファイル管理情報の１つであって、第１情報記録層に記録されたアングル映像情報をユーザの好みに従って再生順序をリスト化したものである。例えば、タイトルや撮影対象ごとにリストを作成できるため、プレイリストを使用することにより、ユーザは、タイトルや撮影対象を基準にして、視聴したい情報（映像情報等）をすぐに再生することができる。
【００４０】
さらに、本発明に係る記録再生装置では、
上記表示制御手段によって表示されるシングルアングル映像情報は、そのシングルアングル映像情報に対応するシングルアングル映像の属性を示すシングルアングル映像属性情報を含むことが好ましい。
【００４１】
上記構成によれば、表示装置には、シングルアングル映像属性情報が表示される。そして、そのシングルアングル映像属性情報として、例えば、撮影されたアングルの位置、撮影対象物との距離、撮影者、撮影日時などが挙げられる。
【００４２】
従って、ユーザは、実際のシングルアングル映像そのものではなく、視聴を希望する１又は複数のシングルアングル映像情報をシングルアングル映像属性情報に基づいて選択することが可能となるため、選択動作を短時間で終わらせることができる。
【００４３】
また、表示装置に表示されるシングルアングル映像属性情報は、シングルアングル映像そのものよりも容量が小さいため、表示装置にシングルアングル映像属性情報を表示する処理を行う際の記録再生装置への負荷を小さくすることができ、それゆえ、処理速度を上げることも可能となる。
【００４４】
加えて、高速のＣＰＵやメモリ容量の大容量化が必要でなくなるため、記録再生装置の複雑化、高コスト化を防ぐことができる。
【００４５】
さらに、本発明に係る記録再生装置では、
上記記録制御手段は、上記シングルアングル映像と当該シングルアングル映像に関する上記シングルアングル映像属性情報とを対応付けて上記第２情報記録層に記録させることが好ましい。
【００４６】
上記構成により、第２情報記録層に記録された上記１又は複数のシングルアングル映像情報を再生するときに、当該シングルアングル映像に対応する属性情報（撮影されたアングルの位置、撮影対象物など）も表示させることができる。そして、その属性情報を確認することにより、ユーザは、撮影されたアングルの位置、撮影対象物などを知ることができ、再生されたシングルアングル映像の詳細を正確に把握することができる。
【００４７】
さらに、本発明に係る記録再生装置では、
上記記録制御手段は、上記１又は複数のシングルアングル映像情報を、シングルアングル映像が撮影された時間の順に上記第２情報記録層に記録させることが好ましい。
【００４８】
シングルアングル映像が撮影された時間の順に上記１又は複数のシングルアングル映像情報を上記第２情報記録層に記録させておけば、撮影された時間の順序で上記１又は複数のシングルアングル映像情報を再生する場合に、ピックアップの移動距離を少なくすることができ、それにより再生処理の処理速度を速めることができるという効果を奏する。
【００４９】
さらに、本発明に係る記録再生装置では、
上記表示制御手段は、上記マルチアングル映像情報のすべてを上記表示装置の一画面内に表示させることが好ましい。
【００５０】
上記構成によれば、マルチアングル映像情報が表示装置の一画面内に表示されるため、ユーザは、すべてのシングルアングル映像情報を一目で確認でき、選択すべきシングルアングル映像情報を容易かつ迅速に選択することができる。
【００５１】
さらに、本発明に係る記録再生装置では、
上記選択手段がユーザに選択させた複数のシングルアングル映像情報を連続して再生する場合であって、再生される順序が隣り合う２つのシングルアングル映像情報の間に再生時間の非連続性が生じる場合に、その非連続性を埋めるための接続画像を挿入する挿入手段を備えることが好ましい。
【００５２】
再生される順序が隣り合う２つのシングルアングル映像情報であって、異なるアングル、異なる時間に撮影されたシングルアングル映像情報を連続的に再生する場合等において、２つのシングルアングル映像情報の再生時間に非連続性が生じることがある。そのような場合、何も表示されない状態の表示画面が発生するなど、その非連続性に起因して２つのシングルアングル映像情報のつなぎに不自然さが生じることがある。
【００５３】
このとき、本発明に係る記録再生装置では、挿入手段が、上記非連続性を埋めるための接続画像を２つのシングルアングル映像情報の間に挿入する。これにより、２つのシングルアングル映像情報の間のつなぎに生じていた不自然さを軽減することができる。
【００５４】
なお、挿入手段は、変形していく間の映像をコンピュータによって補完して作成するモーフィング技術、あるいは、輝度変化や色差変化を検出してつなぎ画像を自動生成するシーンチェンジ技術などの公知技術を適用することが可能である。
【００５５】
さらに、本発明に係る記録再生装置では、
上記接続画像は、上記第１情報記録層に記録されていることが好ましい。
【００５６】
上記構成により、第１情報記録層に記録されたシングルアングル映像情報に好適な接続画像を予め準備しておくことができるため、ユーザは、シングルアングル映像情報を違和感なく視聴することができる。さらに、接続画像が第１情報記録層に記録されているため、ユーザは、外部から接続画像を取得してくる手間を省くことができる。
【００５７】
さらに、本発明に係る記録再生装置では、
上記接続画像は、外部に接続したネットワークを介して取得されるものであり、
上記記録制御手段は、上記接続画像を上記第２情報記録層に記録させることが好ましい。
【００５８】
上記構成によれば、接続画像は外部から取得されるため、ユーザは、より多くの種類の接続画像を取得することができる。また、取得した接続画像は第２情報記録層に記録されるため、ユーザの嗜好に合った接続画像を第２情報記録層に蓄積していくことができる。
【００５９】
さらに、本発明に係る記録再生装置では、
上記選択手段がユーザに選択させた上記選択済シングルアングル映像情報、または、上記表示制御手段によって表示された上記マルチアングル映像情報から、視聴を希望する１又は複数のシングルアングル映像情報を選択する選択例が、上記第２情報記録層に記録されている場合に、
上記表示制御手段は、上記選択手段がユーザに選択させた結果を示す情報である選択結果情報、または、上記選択例を上記表示装置に表示させることが好ましい。
【００６０】
上記構成により、過去の選択結果、または予め記録されている選択例の有無や内容を知ることができるため、その選択結果そのものを選択、またはその選択結果を参考にして、新たに視聴を希望するシングルアングル映像情報を選択することができる。
【００６１】
さらに、本発明に係る記録再生装置では、
上記表示制御手段によって表示された上記マルチアングル映像情報から視聴を希望する１又は複数のシングルアングル映像情報を選択する選択例、または、上記選択手段がユーザに選択させた上記選択済シングルアングル映像情報が上記光ディスクに記録されており、
上記表示制御手段は、上記読出手段が読み出した上記マルチアングル映像情報の少なくとも一部と共に、上記選択例、または、上記選択済シングルアングル映像情報を上記表示装置に表示させることが好ましい。
【００６２】
上記構成により、読出手段が読み出したマルチアングル映像情報の少なくとも一部と共に、上記選択例または上記選択済シングルアングル映像情報が表示装置に表示される。従って、ユーザは、どのような選択例または選択済シングルアングル映像情報を視聴しているかを知ることができる。
【００６３】
さらに、本発明に係る光ディスクでは、
上記第２情報記録層には、シングルアングル映像が再生される時間の順に上記１又は複数のシングルアングル映像情報が記録されていることが好ましい。
【００６４】
シングルアングル映像が再生される時間の順に上記１又は複数のシングルアングル映像情報が上記第２情報記録層に記録されていることにより、再生される時間の順序で上記１又は複数のシングルアングル映像情報を再生する場合に、ピックアップの移動距離を少なくすることができ、それにより再生処理の処理速度を速めることができるという効果を奏する。
【００６５】
さらに、本発明に係る光ディスクでは、
上記第１情報記録層には、上記マルチアングル映像情報が再生される時間の順に区切られて記録されていることが好ましい。
【００６６】
上記構成により、上記光ディスクが挿入される記録再生装置がＰｉｎＰ機能によりマルチアングル映像情報を表示して、かつその中から所望のマルチアングル映像情報をユーザに選択させる場合、ピックアップを内周から外周に動作させるだけでよく、往復動作する必要がないため、無駄な動作を省くことができるという効果を奏する。
【００６７】
さらに、本発明に係る光ディスクでは、
上記第１情報記録層には、撮影されたアングルごとに上記マルチアングル映像情報が記録されていることが好ましい。
【００６８】
上記１又は複数のシングルアングル映像情報が、撮影されたアングルごとに上記第１情報記録層に記録されていることにより、例えばアングルごとにチャプター番号を付ける場合には、チャプター番号とアングル番号とを一致させることができる、といった構成を実現することが可能となる。そうすると、記録再生装置がユーザに選択させるためにマルチアングル映像情報を表示するとき、あるいは、記録再生装置が上記選択の結果を第２情報記録層に記録するときに必要となる動作を容易にすることができる。
【００６９】
さらに、本発明に係る光ディスクでは、
上記選択済シングルアングル映像情報が再生される際に、その再生順序を示す情報である再生順序情報が上記第１情報記録層に記録されていることが好ましい。
【００７０】
再生順序情報は、例えば、撮影された時間の順にシングルアングル映像を再生することを指示する情報であったり、あるいは、シングルアングル映像が、撮影されたアングルごとに再生されることを指示する情報である。このような再生順序情報は、ディスクサプライヤー（製造業者）や映像提供会社が第１情報記録層に予め記録しておけばよく、ユーザは、自ら再生の順序を選択する手間をかけることなく、その再生順序情報に基づいてシングルアングル映像を再生することができる。
【００７１】
なお、上記記録再生装置は、コンピュータによって実現してもよく、この場合には、コンピュータを上記各手段として動作させることにより上記記録再生装置をコンピュータにて実現させる上記記録再生装置の制御プログラム、およびそれを記録したコンピュータ読み取り可能な記録媒体も、本発明の範疇に入る。
【発明の効果】
【００７２】
本発明に係る記録再生装置は、以上のように、上記第１情報記録層に記録されている情報である登録情報を読み出す読出手段と、上記読出手段が読み出した上記登録情報の少なくとも一部を、上記第２情報記録層に記録されているファイルを管理するためのファイル管理情報の記録開始位置よりも外周側に記録させる記録制御手段とを備える構成である。
【００７３】
本発明に係る光ディスクは、以上のように、上記第１情報記録層に記録されている情報である登録情報の少なくとも一部が、上記第２情報記録層に記録されているファイルを管理するためのファイル管理情報の記録開始位置よりも外周側に記録されている構成である。
【００７４】
本発明に係る記録再生方法は、以上のように、上記第１情報記録層に記録されている情報である登録情報を読み出す読出ステップと、上記読出ステップにて読み出された上記登録情報の少なくとも一部を、上記第２情報記録層に記録されているファイルを管理するためのファイル管理情報の記録開始位置よりも外周側に記録させる記録制御ステップと、を含む構成である。
【００７５】
それゆえ、情報記録層が多層化された光ディスクにおいて、情報を追記録することが又は情報を書き換えることが可能な情報記録層に記録された情報を読み出すことにより、情報を読み出すことのみ可能な情報記録層に記録された登録情報を効率的に読み出すことができるという効果を奏する。
【図面の簡単な説明】
【００７６】
【図１】本発明の一実施形態に係る光ディスク装置の要部構成を示すブロック図である。
【図２】本発明の一実施形態に係る光ディスクのルート構成を示すブロック図である。
【図３】本発明の一実施形態に係る光ディスクの各記録層の構成例を示す図である。
【図４】記録再生回路群制御部の詳細を説明するためのブロック図である。
【図５】本実施形態に係る光ディスク装置に光ディスクを挿入した後の処理の流れを示すフローチャートである。
【図６】表示装置に表示されるマルチアングル映像情報の一例を示す図であり、（ａ）は、アングルごとにアングル映像情報を区分している様子を、（ｂ）は、撮影したアングルの方向を撮影場所の写真や図面上に表した様子を、（ｃ）は、撮影したアングルの方向および撮影範囲を撮影場所の写真や図面上に表した様子を、それぞれ表す図である。
【図７】アングル映像情報としてアングル映像を選択し、その選択結果をメモリまたは光ディスクのＲＥ層に記録する動作を説明するフローチャートである。
【発明を実施するための形態】
【００７７】
以下、本発明の一実施の形態について、図面を参照しながら説明する。説明の便宜上、図面に示した部材と同一の機能を有する部材については、同一の符号を付し、その説明を省略する。なお、以下の説明において、光ディスク１００が有する層として、書き換え可能な記録層（情報記録層）をＲＥ（RE-writable）層と呼び、再生専用の記録層をＲＯＭ（Read Only Memory）層と呼び、追記録可能な記録層をＲ（Recordable）層と呼ぶ。また、「記録層」を「ボリューム（Volume）」と表現することもある。さらに、ＲＥ層およびＲ層を総称して「記録可能な記録層」と表現することもある。
1．一般
1-1.構成
1-1-1．光ディスク１００の概略構成
まず、図３に基づき、本発明の一実施形態である光ディスク１００の概略構成について説明する。図３は、光ディスク１００の各記録層の構成例を示す図である。
【００７８】
図３に示すように、再生光入射側から最も遠い記録層から記録層Ｌ０、Ｌ１、・・・と称し、記録層Ｌ０がＲＥ層（第２情報記録層）、記録層Ｌ１がＲＯＭ層（第１情報記録層）である場合の光ディスク１００の構成を示している。図示のように、記録層Ｌ０（ＲＥ層）およびＬ１（ＲＯＭ層）には、BCA(Burst Cutting Area)１０１、リードイン領域１０２、ユーザデータ領域１０３およびリードアウト領域１０４が設けられている。なお、同図では、ＢＣＡ１０１は、Ｌ０（ＲＥ層）にのみ存在しているが、Ｌ１（ＲＯＭ層）のみに存在してもよいし、両方の層に存在してもよい。
【００７９】
ＢＣＡ１０１は、光ディスク１００の最内周で、トラッキング制御が不要な領域またはフォーカス制御のみでアクセス可能なバーコード状の記録領域である。光ディスク装置（記録再生装置）１は、光ディスク１００が挿入されると、まずＢＣＡ１０１の情報を読み取りにいくように設計されている。また、ＢＣＡ１０１は、製造時にのみ情報の書き込みを行うことが可能な領域（すなわち書き換え不可能な領域）である。
【００８０】
ＢＣＡ１０１には、主として、光ディスクの構造を示す識別情報が記録される。識別情報の具体例としては、光ディスク１００の記録層のタイプ（再生専用型、追記型、書き換え型）、光ディスク１００のサイズ、光ディスク１００の規格バージョンおよび光ディスク１００固有の番号などが挙げられるが、ＢＣＡ１０１における各識別情報の記録順序（又は配置方法）は、通常規格などによって決められている。
【００８１】
リードイン領域１０２は、光ディスク１００においてＢＣＡ１０１の外周側に、記録層ごとに設けられた領域である。また、リードイン領域１０２には、製造時にのみ情報の書き込みを行うことが可能な領域（すなわち書き換え不可能な領域）だけでなく、追記型や書き換え型の場合には、光ディスク装置１に挿入された後に情報の追記録あるいは書き換えを行うことが可能な領域が設けられている。リードイン領域１０２には、例えば光ディスク１００への記録・再生の標準条件、各層に対する光ディスク装置１のアクセスの許可不許可（アクセス制限）を示す情報、製造時の欠陥および使用中にできた欠陥の位置を示す情報などが記録される。
【００８２】
ユーザデータ領域１０３は、ＯＳ（Operating System）などの基本ソフト、アプリケーション、あるいはコンテンツ、及び、それらに付随するユーザデータなど、様々な情報が記録されている（または記録可能な）領域である。また、これらの情報が記録されている位置・アドレスや、複数の情報の相関関係（ファイル、ディレクトリのルート）などの管理情報も記録されている。
例えばＲＯＭ層のユーザデータ領域１０３には、ディスクサプライヤーが用意したアプリケーションやコンテンツなどが予め記録されており、ＲＥ層のユーザデータ領域１０３には、ユーザが録画したコンテンツや、アプリケーションのバージョンアップ情報、また、これに付随するユーザデータをなどが光ディスク装置１により記録される。
【００８３】
以後、Ｌ１（ＲＯＭ層）に予め記録されている情報を「登録情報」と称する。光ディスク１００のＲＥ層には、ＲＯＭ層の登録情報の一部が記録（コピー）されている。これは、ディスクサプライヤーがあらかじめ記録（コピー）してもよいし、光ディスク装置１がＲＥ層に記録（コピー）してもよい。ＲＥ層に記録（コピー）される登録情報は、例えばＲＯＭ層のユーザデータ領域１０３に記録されているファイル管理情報である。また別の例では、ＲＥ層に記録（コピー）される登録情報は、ＲＯＭ層のユーザデータ領域１０３に記録されているコンテンツの一部である。これら、ＲＥ層に記録（コピー）されたＲＯＭ層の登録情報を、以後「複写情報」と称する。
【００８４】
リードアウト領域１０４は、通常、光ディスク１００の各層の最外周側に設けられており、記録層の終了位置を示すものである。
【００８５】
なお、図３では、記録層Ｌ０およびＬ１だけを図示しているが、さらに記録層を設けた構成であってもよい。また、Ｌ０層がＲＯＭ層であり、Ｌ１層がＲＥ層であってもよい。
1-1-2．光ディスク装置１の概略構成
まず、図１に基づき、本発明の一実施形態である光ディスク装置１の構成について説明する。
【００８６】
図１は、本発明の一実施形態である光ディスク装置１の主要部の構成を示すブロックである。
【００８７】
図１に示すように、光ディスク装置１は、主としてスピンドル２、ディスク装填認識部３、格納部４、記録再生回路群１０、光ピックアップ１２及び制御部２０を備えている。
【００８８】
また、記録再生回路群１０は、主としてピックアップ駆動回路１３、レーザ駆動回路１４、検出回路１５及びスピンドル回路１６を備えている。
【００８９】
また、制御部２０は、主として、ディスク装填確認部２２、及び記録再生回路群制御部２３を備える。
【００９０】
スピンドル２は、光ディスク１００を固定して回転させるためのものである。
【００９１】
ディスク装填認識部３は、光ディスク１００の装填を検出するためのものであり、例えば、各種センサが例示できるが、光ディスク１００の装填を検出できるものであれば、どのようなセンサを用いても良い。また、ディスク装填認識部３は、検出した結果を検出信号として制御部２０のディスク装填確認部２２へ出力するようになっている。
【００９２】
格納部４は、制御部２０が実行する（１）各部の制御プログラム、（２）ＯＳプログラム、（３）アプリケーションプログラム、および、（４）これらプログラムを実行するときに読み出す各種データを記録するものである。格納部４は、例えばＲＯＭ（Read Only Memory）フラッシュメモリなどの不揮発性の記憶装置によって構成されるものである。
【００９３】
記録再生回路群１０は、スピンドル２や光ピックアップ１２を駆動するためのものであり、主としてピックアップ駆動回路１３、レーザ駆動回路１４、検出回路１５、及びスピンドル回路１６を備えている。
【００９４】
ピックアップ駆動回路１３は、光ピックアップ１２全体を、光ディスク１００の所望の記録・再生部位へ移動させるためのものである。さらに、該記録・再生部位におけるフォーカスおよびトラッキング制御のために、光ピックアップ１２内のアクチュエータ（図示せず）を動作させるためのものである。
【００９５】
レーザ駆動回路１４は、光ディスク１００に照射する光の強度を、記録・再生などに適した強度にするよう、光ピックアップ１２内のレーザ（図示せず）を動作させるためのものである。
【００９６】
検出回路１５は、光ディスク１００から反射される光を検出するためのものであり、主に、フォーカスおよびトラッキングのために、ピックアップ駆動回路１３へフィードバックされるサーボ信号と、光ディスク１００の情報を含むＲＦ信号を生成する。また、光ピックアップ１２から出射される光の強度を一定に保つため、光ピックアップ１２の一部から反射された光を検出し、レーザ駆動回路１４へフィードバックされるサーボ信号も生成する。
【００９７】
スピンドル回路１６は、ディスク装填確認部２２や操作部６から駆動の指示があると、スピンドル２、すなわち光ディスク１００を最適な回転速度で回転させるためのものである。
【００９８】
光ピックアップ１２は、レーザから出射される光を光ディスク１００へ集光するとともに、光ディスク１００からの反射光を分岐し、検出回路１５まで導くための光学系である。
【００９９】
制御部２０は、光ディスク装置１の内部、およびメモリ５、操作部６、表示装置７、インターネット端末装置８などの外部機器とのやり取りを全般的に担うためのものであり、主として、ディスク装填確認部２２、及び記録再生回路群制御部２３を備える。
【０１００】
ディスク装填確認部２２は、ディスク装填認識部３から検出信号を受信しているか否かにより、光ディスク１００が挿入されたか否かを確認するものである。
【０１０１】
記録再生回路群制御部２３は、記録再生回路群１０を制御するためのものであり、例えば、操作部６に入力された指示を、記録再生回路群１０への入力信号に変換する。また、記録再生回路群１０から得られたＲＦ信号をもとに映像信号や音声信号を生成し、表示装置７へ入力する。これらの動作は、例えば処理速度や容量などの問題から、メモリ５を経由して行われる場合もある。また、光ディスク装置１とのやり取りにインターネット回線を利用する場合は、インターネット端末装置８を経由して行われる。
【０１０２】
以上、光ディスク装置１について説明した。ここで、一般的に、光ディスク装置１には、メモリ５、操作部６、表示装置７、インターネット端末装置８などが付設される。以下、これらについて説明する。なお、メモリ５、操作部６、表示装置７、インターネット端末装置８などは、光ディスク装置１の内部に含まれていてもよい。
【０１０３】
メモリ５は、例えばＲＡＭ（Random Access Memory）等で構成してよく、光ディスク１００のＲＯＭ層から読み出した情報、外部のインターネット端末装置を介して取得した情報等を記憶するものである。
【０１０４】
操作部６は、ユーザが、光ディスク装置１に各種の操作命令を入力するためのものであり、例えば、操作ボタンとそのインターフェース、マウス、タッチパッド、リモコンなどが例示できる。
【０１０５】
表示装置７は、光ディスク１００の情報をユーザに示すための装置であり、一般に用いられるテレビやパソコンのモニターなどでよい。なお、表示装置７は広義の意味であり、音声を再生する機能も含むものとする。
【０１０６】
インターネット端末装置８は、光ディスク装置１をインターネット回線とつなぐためのものである。
1-2.動作
次に、本発明に係る光ディスク装置１の動作の概要について説明する。
【０１０７】
まず、光ディスク１００が光ディスク装置１に挿入されると、そのことがディスク装填認識部３により検出される。そして、ディスク装填認識部３から制御部２０のディスク装填確認部２２に対して、光ディスク１００が光ディスク装置１に挿入されたことを示す信号が送信される。次に、制御部２０が、スピンドル回路１６を介してスピンドル２を回転させ、光ディスク１００が設定された回転数で回転する。なお、光ディスク１００は、図３を参照して説明した構造を有しており、また、光ディスク１００のＲＯＭ層に記録されている登録情報は、あらかじめＲＥ層に記録されていてもよい。
【０１０８】
次に、制御部２０が、ピックアップ駆動回路１３を介して光ピックアップ１２を移動させ、レーザ駆動回路１４を介してＲＥ層またはＲＯＭ層に光を照射させる。これにより記録・再生動作が行われる。反射光は検出回路１５で検出され、検出回路１５は、サーボ信号でフィードバックをかける。そして、ＲＦ信号を基に、記録された情報の読み込みが行われる。このとき、ＲＯＭ層またはＲＥ層のいずれかを優先的に読み込むように光ディスク装置１を設定しておいてもよいし、ＲＯＭ層、ＲＥ層の少なくともいずれかに、優先的に読み込む層を指示する情報を記録しておいてもよい。
【０１０９】
また、操作部６や表示装置７などを介して、外部からの読み込み箇所の指示が光ディスク装置１に入力された場合には、当該指示に従って制御部２０から記録再生回路群１０へ信号が送られる。そして、上記と同様の動作により、記録・再生動作が行われる。
2．実施例１
以下、本発明に係る光ディスク１００の具体例として、ＲＯＭ層の管理情報が複写情報である場合について説明する。
【０１１０】
以下では、光ディスク１００の構成、光ディスク装置１の構成・動作について、上述した内容を基本とし、これと異なる部分のみを説明する。
【０１１１】
光ディスク１００は、サプライヤーにより、ＲＯＭ層のユーザデータ領域１０３にソフト、アプリケーション、データベースが記録され、発売される。ＲＯＭ層の情報としては、例えば、パソコンなどで用いられるソフト、カーナビなどのアプリケーション、辞書などのデータベース、およびカラオケなど、およびこれらの組み合わせがある。さらに、複写情報であるＲＯＭ層の管理情報は、光ディスク１００の発売時にあらかじめＲＥ層に記録された状態であってもよいし、光ディスク１００の発売後に光ディスク装置１がＲＥ層に記録（コピー）してもよい。
【０１１２】
光ディスク１００を購入したユーザは、上記各ソフトやアプリケーションを利用するなかで、サプライヤーなどが用意するウェブページにアップロードされるバージョンアップ情報を、インターネット回線などを介して定期的にチェックすることになる。このバージョンアップ情報のチェックは、ユーザが好きなときに行う方式でもよいし、あらかじめ光ディスク１００が自動チェック機能を備えていてもよい。
【０１１３】
光ディスク装置１は、バージョンアップ情報が存在する場合に、当該バージョンアップ情報を光ディスク１００のＲＥ層に記録する。この際、新たに記録したバージョンアップ情報が、元のソフトまたはアプリケーションのどの点をバージョンアップしたものであるか、ＲＯＭ層に記録されているどの部分の情報を置き換えるものか、といった情報をＲＥ層に記録する。
【０１１４】
一方、光ディスク１００には、複写情報としてのＲＯＭ層の管理情報が、光ディスク１００の発売時にあらかじめＲＥ層に記録されている、または、光ディスク１００の発売後に光ディスク装置１によって記録（コピー）されている。そのため、ＲＯＭ層の管理情報は、ＲＥ層に記録されている情報を読み出すことで取得でき、その際に層間ジャンプを必要としない。
【０１１５】
このように、光ディスク１００のＲＥ層には、上記バージョンアップ情報とＲＯＭ層の管理情報とが記録される。つまり、上述した単純な動作により、ＲＥ層の管理情報に、新たに記録したバージョンアップ情報とＲＯＭ層の管理情報との対応関係を含めることができる。また、ＲＯＭ層およびＲＥ層の管理情報をＲＥ層において一元管理することもできるため、光ディスク１００に記録されている情報はより簡易に整理されることになる。さらに、ＲＥ層にバージョンアップ情報を記録した光ディスク１００を再生する際にも、まず、ＲＥ層に記録されているＲＯＭ層およびＲＥ層の管理情報を読み込むことで、光ディスク装置１は、どのような再生を行えばバージョンアップ情報を反映することができるかを認識することができる。
【０１１６】
このように、ＲＯＭ層およびＲＥ層の管理情報がＲＥ層において一元管理されることで、ＲＥ層への読み込み動作のみでＲＯＭ層およびＲＥ層の管理情報を取得できる。それゆえ、ＲＯＭ層およびＲＥ層の管理情報をそれぞれの層から読み込む動作が不要となり、記録時および再生時ともに記録・再生処理の高速化を実現することができる。
【０１１７】
次に、ＲＯＭ層の管理情報が記録されるＲＥ層の領域を図２により説明する。図２は、光ディスク１００のルート構成を示すブロック図である。
【０１１８】
同図に示すように、ＲＯＭ層用のファイル管理情報は、ＲＥ層用のファイル管理情報が記録されている領域の後（外周側）に記録（コピー）してよい。すなわち、図示のとおり、ＲＥ層用のファイル管理情報である「指示１−１」が記録されている領域の後（外周側）に、ＲＯＭ層用のファイル管理情報である「データ１−２」「データ２−１」が記録される、といった構成である。あるいは、ＲＯＭ層の管理情報は、ＲＥ層の管理情報の一部として記録（コピー）されてもよい。このような構成とすることにより、記録可能なＲＥ層を主体とした、光ディスク１００の一元管理が可能となる。
【０１１９】
さらに例示すると、ＲＯＭ層にデータベースが記録されている場合、ＲＥ層に、ユーザがＲＯＭ層のデータをどのように利用したいかを指示する情報が記録される。具体的には、ＲＯＭ層にパソコン用ソフトが記録されている場合には、ＲＥ層にはそのバージョンアップ情報と、当該バージョンアップ情報がＲＯＭ層に記録されているどの情報をバージョンアップすべきかを指示する情報が記録される。また、ＲＯＭ層にカーナビ用データが記録されている場合には、ＲＥ層にはユーザがルートを指示する情報が記録される。また、ＲＯＭ層にカラオケ用データが記録されている場合には、ＲＥ層にはユーザが曲のリストやそれぞれの曲のキーを指示する情報が記録される。また、ＲＯＭ層に映像や文字情報などのデータが記録されている場合には、ＲＥ層にはユーザが映像や文字情報の表示方法を指示する情報が記録される。
【０１２０】
つまり、光ディスク１００のＲＥ層には、ユーザの指示を示す情報が記録されるため、一旦これらの指示を示す情報がＲＥ層に記録されると、図２のように、その指示に従って各種データの再生が行われることが好ましい。よって、ＲＯＭ層の管理情報が、ＲＥ層の管理情報が記録された領域の後または内部に記録（コピー）されていることにより、光ディスク装置１は、ＲＥ層に記録されているユーザの指示に対して、ＲＯＭ層のデータがどのように利用されるかを認識することができ、それゆえ、処理動作が単純になり、高速起動および高速処理が可能となる。
【０１２１】
これに対して、ＲＯＭ層の管理情報が、ＲＥ層の管理情報が記録されている領域の前に記録（コピー）されていると、光ディスク１００が光ディスク装置１に挿入された際、まずＲＯＭ層の管理情報を認識することになる。しかしながら、この動作は、認識しなくてよい情報も認識することとなり、無駄な動作となる。よって、ＲＯＭ層の管理情報がＲＥ層の管理情報が記録されている領域の前に記録（コピー）されていると、処理速度が遅くなるとともに、消費電力を無駄にすることになる。
【０１２２】
なお、ＲＯＭ層の管理情報が記録されている領域よりも前の領域に、ＲＥ層の管理情報を読み込む指示を示す情報を記録しておくことも可能である。しかしながら、光ディスク１００を光ディスク装置１に挿入して再生動作を行うたびに当該指示を読み込み、その後にＲＥ層の管理情報が記録された領域まで光ピックアップ１２を移動させる必要があるため、無駄な動作を発生させることとなる。よって、ＲＯＭ層の管理情報が記録されている領域よりも前の領域に、ＲＥ層の管理情報を読み込む指示を示す情報を記録しておく場合にも、処理速度が遅くなるとともに、消費電力を無駄にする。
【０１２３】
従って、ＲＯＭ層の管理情報は、ＲＥ層の管理情報が記録された領域の後または内部に記録（コピー）されていることが好ましい。
3．実施例２：マルチアングル
以下、本発明に係る光ディスク１００のＲＯＭ層にマルチアングル映像情報が記録され、かつ、そのマルチアングル映像情報から、視聴を希望する１又は複数のアングル映像情報をユーザが選択した選択結果がＲＥ層に記録されている場合について、まずは概要を説明し、次に、複写情報が、ＲＯＭ層に記録されたマルチアングル映像情報の一部である例、および、ＲＯＭ層の管理情報である例について説明する。
【０１２４】
なお、以下では、光ディスク１００の構成、光ディスク装置１の構成・動作について、上述した内容を基本とし、これと異なる部分のみを説明する。
3-1．光ディスク１００の記録層Ｌ１（ＲＯＭ層）に記録されている情報について
本実施例においては、ＲＯＭ層のユーザデータ領域１０３にマルチアングル映像情報が記録されている。マルチアングル映像情報は、ある撮影対象物を複数のアングルから撮影した映像情報および、該映像情報に関する情報の総称である。
【０１２５】
そして、マルチアングル映像情報は、少なくとも、一のアングルから撮影されたシングルアングル映像情報（以下、アングル映像情報と称する）と、該アングル映像情報に関する情報である、アングル映像属性情報を上記複数のアングルそれぞれについて有している。マルチアングル映像情報は、記録されている全時間に渡って存在してもよいし、一部の時間にのみ存在してもよい。
【０１２６】
アングル映像情報は、上述の通り、一のアングルから撮影されたアングル映像に関する情報を表す。より具体的には、アングル映像に関する情報とは、そのアングル映像を示す静止画ないし動画データを意味する。
【０１２７】
アングル映像属性情報は、撮影した対象物（人、物、景色など）、撮影したアングル（例えば野球場やサッカー場におけるカメラの撮影方向、対象物との距離など）等の個々のアングル映像の属性を示す情報であって、アングル映像を説明するための情報であると考えてよい。なお、アングル映像属性情報は、上記の属性情報に限定されず、種々の映像に関する情報を含む構成であってよい。
【０１２８】
なお、アングル映像情報およびアングル映像属性情報は、複数のアングルから撮影対象物を撮影した場合、少なくともそのアングルと同数だけ生成される。また、アングル映像情報およびアングル映像属性情報は、上記複数のアングルのアングル位置を固定して撮影した場合、撮影した回数と少なくとも同数だけ生成される。このとき、例えば１つのアングルから１０の静止画を撮影したのであれば、撮影した回数は１０となる。あるいは、撮影に使用したカメラで区別してもよい。この場合、カメラの台数がアングル数となる。
【０１２９】
さらに、ＲＯＭ層には、表示装置７に表示される複数のアングル映像情報の中から、視聴を希望する１又は複数のアングル映像情報（選択済シングルアングル映像情報）をユーザが選択するときに、その選択方法の具体的な例を示す選択例が記録されていてもよい。
【０１３０】
これにより、映像情報読出部２４が読み出したマルチアングル映像情報の少なくとも一部と共に、上記選択例が表示装置７に表示される。従って、ユーザは、その選択例そのものを選択、またはこれを参考にして、視聴したいアングル映像情報を選択することが可能となる。
【０１３１】
また、ＲＯＭ層には、接続画像が含まれていてもよい。接続画像は、ユーザが選択した複数のアングル映像情報を連続して再生する場合であって、再生される順序が隣り合う２つのアングル映像情報の間に再生時間の非連続性が生じる場合に、その非連続性を埋めるために挿入される画像である。
3-2.光ディスク装置１のより詳細な構成
次に、本実施例における光ディスク装置１の構成について図４を参照して説明する。図４は、記録再生回路群制御部２３の詳細を説明するためのブロック図である。
【０１３２】
本実施例における光ディスク装置１では、記録再生回路群制御部２３は、主として、映像情報読出部（読出手段）２４、映像表示制御部（表示制御手段）２５、選択要求部（選択手段）２６、選択映像記録制御部（記録制御手段）２７、及び映像挿入部（挿入手段）２８を備える。そして、記録再生回路群制御部２３は、映像情報読出部２４、映像表示制御部２５、選択要求部２６、選択映像記録制御部２７、及び映像挿入部２８の各部を統括制御すると共に、各部の指示を受けて記録再生回路群１０などを駆動させるものである。
【０１３３】
以下、記録再生回路群制御部２３に含まれる映像情報読出部２４などの各部の詳細を説明する。
3-2-1.記録再生回路群制御部２３に含まれる各部詳細について
映像情報読出部２４は、ディスク装填認識部３から検出信号を受信したディスク装填確認部２２が光ディスク装置１に光ディスク１００が挿入されたことを確認した後に、光ディスク１００のＲＯＭ層に記録されたマルチアングル映像情報を読み出すものである。なお、上述したように、マルチアングル映像情報は、少なくとも、複数のアングル映像情報と、それに付随するアングル映像属性情報とを含む。
【０１３４】
映像表示制御部２５は、映像情報読出部２４からマルチアングル映像情報を取得して、そのマルチアングル映像情報を光ディスク装置１の外部に設けた表示装置７に表示させるものである。なお、表示方法の詳細は後ほど説明する。また、ここでは表示装置７は光ディスク装置１の外部に設けるものとして説明したが、光ディスク装置１に表示装置７が組み込まれる構成であってもよい。
【０１３５】
選択要求部２６は、表示装置７に表示されたマルチアングル映像情報から、視聴を希望する１又は複数のアングル映像情報をユーザに選択させるものである。具体的には、選択要求部２６は、視聴を希望する１又は複数のアングル映像情報をユーザに選択させるための選択要求信号を記録再生回路群制御部２３に出力する。記録再生回路群制御部２３は、その選択要求信号を受けて、視聴を希望するアングル映像情報を選択するようユーザに選択要求する。その際、例えば表示装置７の表示画面に「視聴したいアングル映像を選択ください」といった選択要求メッセージを表示し、アングル映像情報が選択可能な状態に設定される。なお、視聴を希望するアングル映像情報を選択するようユーザに選択要求する主体は、記録再生回路群制御部２３でなくとも、選択要求部２６が行う構成であってもよい。
【０１３６】
次に、ユーザは、表示装置７に表示されたマルチアングル映像情報の中から、操作部６での操作を介して、視聴を希望する１又は複数のアングル映像情報を選択する。
【０１３７】
選択映像記録制御部２７は、操作部６での上記操作を経て、ユーザが選択した１又は複数のアングル映像情報を特定し、その１又は複数のアングル映像情報を記録可能な記録層（Ｌ０層）に記録させる。具体的には、選択映像記録制御部２７の指示を受けた記録再生回路群１０が、レーザ駆動回路１４を介して記録条件を設定し、光ピックアップ１２から記録用のレーザビームを光ディスク１００のＬ０層に照射することによって、光ディスク１００にユーザが選択した１又は複数のアングル映像情報を記録させる。
【０１３８】
このとき、選択映像記録制御部２７は、選択要求部２６がユーザに選択させた選択結果に付随する情報である選択結果属性情報を併せてＬ０層に記録させてもよい。なお、選択結果属性情報は、例えば、光ディスク装置１においてユーザ登録等の設定が可能であれば、誰が選択したのか、何に注目して選択したのか、といった情報である。
【０１３９】
これにより、光ディスク１００が再び光ディスク装置１に挿入されたときに、映像表示制御部２５は、その選択結果属性情報を表示装置７に表示させることができる。これにより、ユーザは、過去の選択結果の有無や内容を知ることができる。さらに、ユーザは、その選択結果を参考にして、新たに視聴を希望するアングル映像情報を選択することができる。また、光ディスク１００が別の光ディスク装置に挿入された場合でも、選択結果および選択結果属性情報を表示装置７に表示させることができ、これにより、ユーザは、過去の選択結果の有無や内容を知ることができる。さらに、ユーザは、その選択結果を参考にして、新たに視聴を希望するアングル映像情報を選択することができる。
【０１４０】
なお、所望の選択結果および、サプライヤーによって予め記録されている選択例（なくてもよい）の選択は、選択要求部２６がユーザに要求するものである。具体的には、選択要求部２６は、選択結果および選択例をユーザに選択させるための選択要求信号を記録再生回路群制御部２３に出力する。記録再生回路群制御部２３は、その選択要求信号を受けて、希望する選択結果および選択例を選択するようユーザに選択要求する。その際、例えば表示装置７の表示画面に「再現したい選択肢をお選びください」といった選択要求メッセージを表示し、選択結果および選択例が選択可能な状態に設定される。なお、所望の選択結果および選択例を選択するようユーザに選択要求する主体は、記録再生回路群制御部２３でなくとも、選択要求部２６が行う構成であってもよい。
【０１４１】
映像挿入部２８は、異なるアングル映像情報を連続再生するときに動作するものである。具体的には、再生される順序が隣り合う２つのアングル映像情報であって、異なるアングル、異なる時間に撮影されたアングル映像情報を連続的に再生する場合等において、２つのアングル映像情報の再生時間に非連続性が生じることがある。そのような場合、何も表示されない状態の表示画面が発生するなど、その非連続性に起因して２つのアングル映像情報のつなぎに不自然さが生じることがある。
【０１４２】
このとき、映像挿入部２８が、上記非連続性を埋めるための接続画像を２つのアングル映像情報の間に挿入する。これにより、２つのアングル映像情報の間のつなぎに生じていた不自然さを軽減することができる。
【０１４３】
なお、映像挿入部２８は、変形していく間の映像をコンピュータによって補完して作成するモーフィング技術、あるいは、輝度変化や色差変化を検出してつなぎ画像を自動生成するシーンチェンジ技術などの公知技術を適用することができる。そして、当該技術により、２つのアングル映像情報の間にフェードアウト効果やグラデーション効果を実現し、上記非連続性に起因して生じた２つのアングル映像情報のつなぎの不自然さを軽減することができる。なお、映像挿入部２８は、モーフィング技術やシーンチェンジ技術などの従来技術を援用してよいため、ここでの詳細説明は省略する。
【０１４４】
また、接続画像は、予め光ディスク１００のＲＯＭ層に記録されていても、あるいは、光ディスク装置１が、外部に接続したインターネット端末装置８を介して取得してもよい。
3-3.光ディスク装置１に光ディスク１００を挿入した後の処理の流れ
次に、〔制御部２０に含まれる各部詳細について〕で説明した制御部２０に含まれる各部の処理の流れを図５を参照して説明する。
【０１４５】
図５は、光ディスク装置１に光ディスク１００を挿入した後の処理の流れを示すフローチャートである。
【０１４６】
まず、Ｓ１０で、光ディスク１００が光ディスク装置１に挿入される。なお、光ディスク１００は、図３を参照して説明した構造を有しており、〔光ディスク１００の記録層Ｌ１（ＲＯＭ層）に記録されている情報について〕で説明した各種情報（登録情報）が予めＲＯＭ層に記録されているものとする。
【０１４７】
次に、Ｓ１２では、制御部２０がピックアップ駆動回路１３を介して光ピックアップ１２を駆動させ、ＲＥ層に記録された情報の読み込みが行われる。このとき、ＲＯＭ層よりもＲＥ層を優先的に読み込むように設定しておき、ＲＥ層にデータが記録されていない場合にのみ、ＲＯＭ層の読み込みを行うように設定しておくことが好ましい。これにより、ＲＥ層に記録された情報を優先的に読み込むことができる。
【０１４８】
続いて、Ｓ１４では、ＲＯＭ層に選択結果および選択結果属性情報が記録されているかどうかが確認され、記録されている場合には、映像表示制御部２５がその選択結果および（または）選択結果属性情報を表示装置７に表示させる（Ｓ１６）。なお、光ディスク１００が初めて光ディスク装置１に挿入されたときは、選択結果および選択結果属性情報はＲＥ層に記録されていない場合がある。この場合、Ｓ１４ではＮＯとなりＳ２０に進む。
【０１４９】
Ｓ１８では、表示装置７に表示された選択結果および選択結果属性情報に基づいて、ユーザは、何れの選択結果および選択結果属性情報を選択するかを決定する。
【０１５０】
具体的な処理の流れとしては、選択要求部２６が、選択結果および選択結果属性情報をユーザに選択させるための選択要求信号を記録再生回路群制御部２３に出力する。記録再生回路群制御部２３は、その選択要求信号を受けて、希望する選択結果および選択結果属性情報を選択するようユーザに選択要求する。その際、例えば表示装置７の表示画面に「再現したい選択結果をお選びください」といった選択要求メッセージを表示し、選択結果および選択結果属性情報が選択可能な状態に設定される。なお、選択結果および選択結果属性情報を選択するようユーザに選択要求する主体は、上記では記録再生回路群制御部２３であるものとして説明したが、選択要求部２６であってもよい。
【０１５１】
Ｓ２０は、Ｓ１８において再現したい選択結果および選択結果属性情報が存在しない場合に該当する。一方、再現したい選択結果および選択結果属性情報が存在する場合には、その選択結果を選択することによりＳ２６に進む。
【０１５２】
Ｓ２０では、映像表示制御部２５は、映像情報読出部２４からマルチアングル映像情報を取得して、そのマルチアングル映像情報を表示装置７に表示させる。
【０１５３】
そして、Ｓ２２において、選択要求部２６が、表示装置７に表示されたマルチアングル映像情報から、視聴を希望する１又は複数のアングル映像情報をユーザに選択させる。その詳細は上述したため、ここでの説明は省略する。
【０１５４】
次に、Ｓ２４では、選択映像記録制御部２７が、ユーザによる操作部６での選択操作を経て、ユーザが視聴を希望する１又は複数のアングル映像情報を特定し、その１又は複数のアングル映像情報をＲＥ層に記録させる。選択の動作が行われるのに伴い、逐次ＲＥ層記録されてもよいし、逐次的にはメモリ５に記録され、選択がすべて終わった時点で、ＲＥ層にまとめて記録されてもよい。
【０１５５】
最後に、Ｓ２６では、ＲＥ層に記録された選択内容（ユーザが視聴を希望する１又は複数のアングル映像情報）が再生され、ユーザは、自身が希望するアングル映像情報を視聴することができる。Ｓ２６の選択内容の再生は、別の光ディスク装置で行うこともできる。例えば、Ｓ２０〜Ｓ２４のマルチアングル映像情報の選択および記録は、操作性の高いパソコンで行い、Ｓ２６の選択内容の再生は、画質のよいテレビで見るため、パソコンに付随している光ディスク装置１とは別の光ディスク装置１により再生してもよい。
3-3-1．選択させるための表示方法について
次に、映像表示制御部２５が、映像情報読出部２４から取得したマルチアングル映像情報を表示装置７に表示し、ユーザに選択させる表示方法について説明する。
【０１５６】
まず、映像表示制御部２５が、マルチアングル映像情報すべてを表示装置７の一画面内に表示させる。このとき、アングル映像情報をアングルごとに区分して表示する。従って、表示画面はアングル数で分割されることになる。また、撮影されたアングルに関する情報などを示すアングル映像属性情報を併せて画面上に表示してもよい。
【０１５７】
上記構成によれば、マルチアングル映像情報が表示装置７の一画面内に表示されるため、ユーザは、すべてのアングル映像情報を一目で確認でき、選択すべきアングル映像情報を容易かつ迅速に選択することができる。なお、各アングルに包含されるアングル映像情報は、時間ごとに細切れに表示される構成でよい。
【０１５８】
あるいは、マルチアングル映像情報の他の表示方法として、映像表示制御部２５が、アングル映像すべてを表示装置７の一画面内に同時に表示させてもよい。つまり、表示画面に表示するアングル映像情報をＰｉｎＰ機能を用いて表示する方法である。これにより、ユーザは、アングル映像情報を一目で確認でき、またアングル映像情報であるため映像内容を明確に知ることができるため、選択すべきアングル映像情報を容易かつ迅速に選択することができる。なお、ＰｉｎＰ機能は従来の方法で動作させればよいため、ここでの詳細説明は省略する。
【０１５９】
ここで、ユーザによって選択されたアングル映像情報の記録先は、光ディスク１００のＲＥ層に直接記録しても、あるいは、光ディスク装置１のメモリ５に一旦記録し、後で光ディスク１００のＲＥ層に記録してもよい。ただし、メモリ５にアングル映像情報を記録する場合と光ディスク１００のＲＥ層に記録する場合とを比較すると、メモリ５にアングル映像情報を記録する方が、処理速度が速い分だけアングル映像情報の再生選択とほぼ同時に記録可能なため、複数のアングル映像情報を記録する場合に光ディスク装置１への負荷を軽減することができる。
【０１６０】
また、マルチアングル映像情報の表示方法として、アングル映像情報そのものではなく、アングル映像属性情報を画面上に表示する方法が挙げられる。具体的には、撮影対象と各アングルの相対位置を表示する、または、撮影対象などが時間の経過に伴い変化する場合には、図面やグラフでその変化の内容を表示する、といった方法である。これらの図面やグラフ等は、例えばディスクサプライヤーや映像提供会社が光ディスク１００のＲＥ層に予め記録しておけばよく、ユーザが視聴を希望するマルチアングル映像情報を選択するときに、映像表示制御部２５が表示画面上に表示させ、選択要求部２６がユーザに所望のマルチアングル映像情報を選択させればよい。
【０１６１】
以下、その具体例について説明する。図６は、表示装置７に表示されるマルチアングル映像属性情報の一例を示す図である。
【０１６２】
まず、同図について説明する。図６（ａ）は、撮影したアングルごとにアングル映像属性情報を表示した例である。
【０１６３】
例えば、同図において、マルチアングル映像情報の対象撮影物がＡ〜Ｄで示されていたとする。なお、Ａ〜Ｄは、どのような対象撮影物であってもよく、例えば人、動物、植物、物体、景色等と考えてよい。
【０１６４】
このとき、アングル１〜アングル３にはＡ〜Ｄに係るアングル映像情報が含まれており、アングル４にはＡに係るアングル映像情報のみが含まれている。より具体的に説明すると、例えばアングル１では、撮影した時間の順に、Ｃ→Ａ→Ｂ→Ｄ→Ｂ→Ａ→Ｄ→Ｂ→Ｃ→Ａ→Ｄという撮影対象物のアングル映像情報が含まれている。これにより、ユーザは、表示装置７の表示画面を確認して、アングル１の撮影対象物がＡ〜Ｄの何れであるかを知ることができ、かつ、視聴を希望する１又は複数のアングル映像情報を容易に選択することができる。なお、選択方法は、例えばアングル１の最初の「Ｃ→Ａ→Ｂ」を視聴したいときは、それらの領域をクリックする、といった方法でよい。また、リモコンの数字ボタンなどを押す、といった方法でもよい。
【０１６５】
なお、同図ではアングルごとにアングル映像情報を区分しているが、撮影した時間ごとにマルチアングル映像情報を区分する方法で表示してもよい。また、同図ではＡ〜Ｄを異なる色（模様）で表現しているが、色（模様）ではなく、文字等のアングル映像属性情報で表現してもよい。
【０１６６】
次に、図６（ｂ）について説明する。同図は、撮影したアングルの方向を撮影場所の写真や図面上に表したものである。なお、同図では、撮影場所はステージであり、そのステージの写真（図面）上に撮影した６つのアングルが表示されている。
【０１６７】
このとき、ユーザは、視聴を希望するアングルがアングル１であれば、そのアングル１を示す領域をクリックする、またはリモコンの数字ボタンなどを押すことにより、アングル１に含まれるアングル映像情報を選択することができる。なお、図示していないが、例えばアングル１を示す領域をクリックすると、次にアングル１に含まれる複数のアングル映像属性情報を示す画面（例えば図６（ａ）のアングル１の表示）が登場するようにしてもよい。
【０１６８】
以上の操作により、ユーザは、撮影場所と撮影されたアングルとを対応付けて確認し、そのうえで視聴を希望するアングルを選択することができる。
【０１６９】
次に、図６（ｃ）について説明する。同図は、撮影したアングルの方向および撮影範囲を、撮影場所の写真や図面上に表したものである。なお、同図では、撮影場所は野球場であり、その野球場の写真（図面）上に撮影した４つのアングルを示している。
【０１７０】
このとき、ユーザは、視聴を希望するアングルがアングル３であれば、そのアングル３を示す領域をクリックすることにより、アングル３に含まれるアングル映像情報を選択することができる。なお、アングル３を示す領域上にポインタ等を移動することにより、撮影範囲が画面上に表れるようにすれば、アングル３の撮影範囲をユーザに知らせることができる（図６（ｃ）では、アングル３の撮影範囲が示されている）。これにより、ユーザは、所定の撮影範囲の映像を視聴したい場合に、その撮影範囲がアングル１〜アングル４の何れに包含されるのかを容易に確認することができる。
【０１７１】
以上、図６（ａ）〜図６（ｃ）を参照して、マルチアングル映像属性情報の種々の表示方法を例示した。しかしながら、マルチアングル映像情報の表示方法は上記３つに限定されず、種々の方法およびこれらの組み合わせで表示することができる。また、上記のマルチアングル映像情報を表示するとともに、マルチアングル映像属性情報を表示してもよい。
【０１７２】
以上の方法により、ユーザは、好みの人物（歌手・役者・演奏者・スポーツ選手）、物体（楽器・ボールなどのスポーツ競技道具）などの対象物に注目したアングル、または好きなアングルを容易に選択でき、映像を楽しむことができる。
3-3-2.ユーザによるアングル映像情報の選択と選択結果の記録
次に、アングル映像情報の選択結果を記録する動作の一例を図７を参照して説明する。
3-3-2-1.映像データそのものを選択する場合
最初にアングル映像情報そのものを複写情報とする場合について説明する。
【０１７３】
図７は、アングル映像情報を選択し、その選択結果をメモリ５を介してまたは直接光ディスク１００のＲＥ層に記録する動作を説明するフローチャートである。
【０１７４】
まず、Ｓ３０で、映像表示制御部２５によって表示されたマルチアングル映像情報またはアングル映像属性情報から、視聴を希望する１又は複数のアングル映像情報をユーザが選択する。
【０１７５】
次に、Ｓ３２では、Ｓ３０での選択結果の記録先が光ディスク１００のＲＥ層（Ｒ層でも可）であればＳ３６に進む（Ｓ３２でＹＥＳ）。一方、Ｓ３０での選択結果の記録先がメモリ５であればＳ３４に進む（Ｓ３２でＮＯ）。なお、光ディスク１００のＲＥ層または光ディスク装置１のメモリ５の何れを選択結果の記録先とするかは、いずれでもよいが、表示方法などにより光ディスク装置１の処理速度が限られる場合、メモリ５に記録する方が高速に処理できる。
【０１７６】
Ｓ３４は、Ｓ３０での選択結果の記録先が光ディスク装置１のメモリ５の場合に該当する。この場合、記録動作の処理速度は速く、アングル映像情報の選択とほぼ同時に選択開始位置からメモリ５に記録される。
【０１７７】
一方、Ｓ３６は、Ｓ３０での選択結果の記録先が光ディスク１００のＲＥ層の場合に該当する。この場合、光ピックアップ１２は、ＲＯＭ層の再生とＲＥ層への記録を並列して行わなければならないため、再生開始位置から追っかけ記録することになる。つまり、再生動作と記録動作との間には時間的なずれが生じる。
【０１７８】
Ｓ３８では、Ｓ３４およびＳ３６での選択結果の記録が終了した後で、あるいは記録動作を行っている最中に、さらに選択すべきアングル映像情報があるかどうかをユーザに確認する。この確認は、例えば映像表示制御部が表示装置７の表示画面に「さらに選択すべきアングル映像情報がなければここをクリックしてください」といったメッセージを表示させ、選択すべきアングル映像情報が存在しない場合に、ユーザが上記クリックを行い、それにより選択動作が終了する、それ以外の場合には選択動作を続ける、といった方法で行えばよい。
【０１７９】
そして、さらに選択すべきアングル映像情報が存在する場合にはＳ４０に進み（Ｓ３８でＹＥＳ）、選択すべきアングル映像情報が存在しない場合にはＳ４２に進む（Ｓ３８でＮＯ）。
【０１８０】
Ｓ４０では、選択切替時間を補正し、記録する。すなわち、ユーザがクリックやボタンなどにより選択の指示を出すタイミングは、実際には映像が切り替わった後となってしまうが、これを自動的に補正するものである。選択切替時間は、ＧＯＰ（Group Of Pictures）の境界や、ＰＴＳ（Presentation Time Stamp）値を用いて判断すればよい。
【０１８１】
Ｓ４２は、Ｓ３８において選択すべきアングル映像情報が他に存在しない場合に該当する。このとき、上述した「さらに選択すべきアングル映像情報がなければここをクリックしてください」といったメッセージに従い該当部分をクリックすることにより、Ｓ３８からＳ４２に進む。
【０１８２】
Ｓ４２に進むと、映像表示制御部２５は表示装置７におけるアングル映像情報の表示を終了させ、Ｓ４４に進む。
【０１８３】
Ｓ４４では、Ｓ３４およびＳ３６で記録されたアングル映像情報とは別の項目情報、例えばユーザ名、選択日時などの選択結果を示す情報が選択映像記録制御部２７によって記録される。なお、記録先がメモリ５であった場合、これらをＲＥ層に記録する動作も行われる。
【０１８４】
Ｓ４４で選択結果の記録が終わるとＳ４６に進み、アングル映像情報の選択動作がすべて終了する。
【０１８５】
以上により、光ディスク１００を他の光ディスク装置１に挿入した場合には、マルチアングル映像情報からアングル映像情報を再度選択する動作をユーザに要求することなく、光ディスク装置１において選択されてＲＥ層に記録された、選択済シングルアングル映像情報（選択結果）をユーザに視聴させることができる。さらに、ＲＥ層には、アングル映像情報そのものが記録されているため、他の光ディスク装置１がマルチアングル機能に対応していない場合でも、選択済シングルアングル映像情報（選択結果）をユーザに視聴させることができる。
3-3-2-2.プレイリストを選択する場合
次に、アングル映像情報のプレイリストをＲＥ層に記録する場合について説明する。この場合、ＲＯＭ層の管理情報を複写情報とする。
【０１８６】
なお、プレイリストとは、ファイル管理情報の１つであって、光ディスク１００のＲＯＭ層に記録されたアングル映像情報を、ユーザの好みに従って再生順序をリスト化したものである。例えばタイトルや撮影対象ごとにリストを作成できるため、プレイリストを使用することにより、ユーザは、タイトルや撮影対象を基準にして、視聴したい映像をすぐに再生することができる。
【０１８７】
アングル映像情報のプレイリストを複写情報とする場合、ユーザによって選択されたアングル映像情報を、例えば該情報に対応する区間（ＩＮ点、ＯＵＴ点）で認識することになり、これを一旦メモリ５に記録して、後ほど光ディスク１００のＲＥ層に記録、あるいは直接光ディスク１００のＲＥ層に記録する。
【０１８８】
この場合でも、選択切替時間を補正して、記録することが好ましい。すなわち、ユーザがクリックやボタンなどにより選択の指示を出すタイミングは、実際には映像が切り替わった後となってしまうが、これを自動的に補正するものである。選択切替時間は、ＧＯＰ（Group Of Pictures）の境界や、ＰＴＳ（Presentation Time Stamp）値を用いて判断し、補正されたＩＮ点、ＯＵＴ点を記録すればよい。
【０１８９】
以上より、光ディスク１００を他の光ディスク装置１に挿入した場合には、マルチアングル映像情報からシングルアングル映像情報を再度選択する動作をユーザに要求することなく、光ディスク装置１において選択されてＲＥ層に記録された、選択済シングルアングル映像情報（選択結果）をユーザに視聴させることができる。さらに、ＲＥ層には、ＲＯＭ層に記録されているアングル映像情報のプレイリストが記録されているため、容量が少なくてすみ、多くの選択結果を記録することができる。また、空き容量をバージョンアップ情報などの他の情報を記録する場合に利用できる。
【０１９０】
また、ユーザにより選択されたシングルアングル映像情報を再生する場合には、まずプレイリストが読み込まれ、再生指示とＲＥ層に記録（コピー）されているＲＯＭ層のファイル管理情報とから、ＲＯＭ層のどの位置（アドレス）を再生すればよいかがわかる。すなわち、ＲＯＭ層のファイル管理情報（複写情報）とＲＥ層のファイル管理情報（プレイリスト）とが一元管理され、層間ジャンプする回数を減らすことができ、故障の可能性を減らすことができる。
【０１９１】
さらに、ＲＯＭ層のファイル管理情報がＲＥ層のファイル管理情報の開始位置より外周側に記録されていれば、ユーザの指示であるプレイリストが先に読み込まれることになる。従って、当該プレイリストを読み込んだ後に、ＲＯＭ層のファイル管理情報が読み込まれることになり、その読み込み動作が光ディスク１００の内周側から外周側へ向かっていくことになるため、簡易な動作で済ませることができる。すなわち、ＲＯＭ層のファイル管理情報が記録された領域の前にＲＥ層の読み込み指示を示す情報を記録しておく必要がなくなり、また、ＲＯＭ層のファイル管理情報のすべてを毎回読み込みに行くという無駄な動作が必要でなくなる。
【０１９２】
〔本実施の形態による効果〕
次に、本実施の形態に係る光ディスク装置１、及び光ディスク１００による効果を説明する。
【０１９３】
光ディスク装置１は、情報を読み出すことのみ可能なＲＯＭ層と、情報を追記録することが又は情報を書き換えることが可能なＲＥ層又はＲ層（以降では、便宜上ＲＥ層のみ記載する）と、を備えた光ディスク１００に対して情報の記録または再生を行う光ディスク装置１であって、ＲＯＭ層に記録されている情報である登録情報を読み出す映像情報読出部２４と、映像情報読出部２４が読み出した登録情報の少なくとも一部を、ＲＥ層に記録されているファイルを管理するためのファイル管理情報の記録開始位置よりも外周側に記録させる選択映像記録制御部２７と、を備えることを特徴としている。
【０１９４】
また、光ディスク１００は、情報を読み出すことのみ可能なＲＯＭ層と、情報を追記録することが又は情報を書き換えることが可能なＲＥ層と、を備えた光ディスク１００であって、ＲＯＭ層に記録されている情報である登録情報の少なくとも一部が、ＲＥ層に記録されているファイルを管理するためのファイル管理情報の記録開始位置よりも外周側に記録されていることを特徴としている。
【０１９５】
また、光ディスク装置１の制御方法は、情報を読み出すことのみ可能なＲＯＭ層と、情報を追記録することが又は情報を書き換えることが可能なＲＥ層と、を備えた光ディスク１００に対して情報の記録または再生を行う光ディスク装置１の制御方法であって、ＲＯＭ層に記録されている情報である登録情報を読み出す読出ステップと、読出ステップにて読み出された登録情報の少なくとも一部を、ＲＥ層に記録されているファイルを管理するためのファイル管理情報の記録開始位置よりも外周側に記録させる記録制御ステップと、を含むことを特徴としている。
【０１９６】
光ディスク装置１に挿入される光ディスク１００は、ＲＯＭ層及びＲＥ層を備え、ＲＯＭ層は、情報を読み出すことのみ可能な情報記録層であり、ＲＥ層は、情報を追記録することが又は情報を書き換えることが可能な情報記録層である。そして、光ディスク装置１では、映像情報読出部２４がＲＯＭ層に記録されている登録情報を読み出し、選択映像記録制御部２７が登録情報の少なくとも一部をＲＥ層に記録させることが好ましい。
【０１９７】
従って、ＲＥ層への読出動作のみでＲＥ層に記録された登録情報の少なくとも一部（以下、ＲＥ層に記録された登録情報の少なくとも一部を「複写情報」と称する。）を読み出すことができ、ＲＯＭ層への読出動作が不要となる。これにより、ＲＯＭ層とＲＥ層との間を層間ジャンプして、複写情報をＲＯＭ層から読み出す必要もなくなり、光ディスク装置１の処理速度を速めることができる。
【０１９８】
さらに、光ディスク装置１では、複写情報は、ＲＥ層に記録されているファイルを管理するためのファイル管理情報の記録開始位置よりも外周側に記録されることが好ましい。
【０１９９】
従って、光ディスク装置１に光ディスク１００が挿入された際に、まずＲＥ層のファイル管理情報が読み込まれることになる。ここで、一般的に、ファイル管理情報はユーザの指示等が記録されることになるため、指示等に基づいて他の情報を読み込めばよいこととなり、ＲＯＭ層及びＲＥ層に記録された各種情報の実質的な一元管理が可能となる。そして、ユーザの指示等が記録されているファイル管理情報が複写情報よりも先に読み込まれることになるため、必要のない複写情報を読み込むことによって生じる、無駄な動作による処理速度の低下や消費電力の増加といった特許文献１・３の課題を解決することができる。また、登録情報を光ディスク装置１側のメモリに記録する必要がなくなるため、特許文献４・５の技術では解決できなかった、光ディスク１００側で情報の一元管理を実現することができる。
【０２００】
このような理由により、光ディスク装置１では、装置自体の処理速度を速めることができ、さらに、ＲＥ層に記録される複写情報をＲＯＭ層から読み出す動作を省略することができることから、動作回数を低減でき、その結果、光ディスク装置１に発生する故障等の頻度を抑えることができる。
【０２０１】
加えて、複写情報は、光ディスク装置１側のメモリではなく、光ディスク１００のＲＥ層に記録される。それゆえ、光ディスク装置１から光ディスク１００を取り出した時点でＲＥ層に複写情報が記録されているため、その光ディスク１００を他の光ディスク装置１で使用する場合においても、ＲＥ層に記録された情報を読み出すだけで、本来ＲＯＭ層に記録されている複写情報を読み出すことが可能となる。これにより、他の光ディスク装置１においても、ＲＯＭ層への読出動作を省略することができるため、光ディスク装置１側の処理速度を速めることができる。
【０２０２】
さらに、ＯＳやアプリケーション等のセキュリティーを向上させる目的や、より使いやすいものにバージョンアップすることを目的として更新（最新）情報を取得し、その更新情報を光ディスク１００に記録する場合、情報を追記録することが又は情報を書き換えることが可能なＲＥ層に更新情報が記録される。それゆえ、複写情報がＲＥ層に記録されていることにより、複写情報や更新情報等をＲＥ層において一元的に管理できるようになるという効果を奏する。これにより、複写情報や更新情報等を光ディスク装置１側の記録媒体に記録する必要がなくなり、特許文献４・５が解決できなかった、光ディスク１００側での情報の一元管理を実現することができる。
【０２０３】
さらに、光ディスク装置１では、登録情報は、ＲＯＭ層に記録されたファイル管理情報を含むことが好ましい。ＲＥ層への情報の読出動作のみにより、ＲＯＭ層に記録されていたファイル管理情報を読み出すことが可能となる。つまり、ＲＯＭ層からファイル管理情報を読み出す動作、及びその動作に要する処理時間を削減することができる。
【０２０４】
なお、ファイル管理情報は、光ディスク１００に記録されたファイルを管理するための情報である。また、ＲＥ層は、情報を追記録することが又は情報を書き換えることが可能な情報記録層であって、更新情報や新たな情報（ファイル）はＲＥ層に追記録されていく。
【０２０５】
従って、ＲＥ層にファイル管理情報が記録されていれば、そのファイル管理情報を更新することも可能となり、ユーザにとって光ディスク１００に記録されたファイルの管理が容易になるという効果を奏する。
【０２０６】
さらに、光ディスク装置１では、登録情報は、登録情報のインデックスを含むことが好ましい。
【０２０７】
一般に、インデックスとは、情報（データ）の検索速度を向上させるために、どの情報がどこに存在するかを示した索引、テーブル、見出し等のことを言う。
【０２０８】
従って、ＲＥ層に登録情報のインデックスが記録されるため、ＲＥ層への読み出し動作のみにより、登録情報のインデックスを確認することができるようになる。
【０２０９】
それゆえ、ユーザは、ＲＯＭ層に記録されている登録情報を効率的に検索することができるという効果を奏する。
【０２１０】
さらに、光ディスク装置１では、登録情報は、複数のアングルから撮影されたマルチアングル映像に関する情報であるマルチアングル映像情報を含み、マルチアングル映像情報は、一のアングルから撮影されたシングルアングル映像に関する情報であるシングルアングル映像情報を複数のアングルそれぞれについて有しており、映像情報読出部２４が読み出したマルチアングル映像情報の少なくとも一部を表示装置７に表示させる映像表示制御部２５と、映像表示制御部２５によって表示されたマルチアングル映像情報から、視聴を希望する１又は複数のシングルアングル映像情報をユーザに選択させる選択要求部２６と、を備え、選択映像記録制御部２７は、選択要求部２６がユーザに選択させた１又は複数のシングルアングル映像情報を選択済シングルアングル映像情報としてＲＥ層に記録させることが好ましい。
【０２１１】
映像表示制御部２５は、映像情報読出部２４が読み出したマルチアングル映像情報の少なくとも一部を表示装置７に表示させる。そして、選択要求部２６は、表示装置７に表示されたマルチアングル映像情報の少なくとも一部の中から、視聴を希望する１又は複数のシングルアングル映像情報をユーザに選択させる。そのうえで、選択映像記録制御部２７は、選択要求部２６がユーザに選択させた１又は複数のシングルアングル映像情報をＲＥ層に記録させる。その結果、ユーザが視聴を希望する１又は複数のシングルアングル映像情報が選択済シングルアングル映像情報としてＲＥ層に記録されることになる。
【０２１２】
従って、光ディスク１００を他の光ディスク装置に挿入した場合には、シングルアングル映像情報の選択動作を再びユーザに要求することなく、光ディスク装置１において選択されてＲＥ層に記録された選択済シングルアングル映像情報をユーザに視聴させることができる。
【０２１３】
このように、利便性に優れた光ディスク装置１をユーザに提供することができる。
【０２１４】
さらに、光ディスク装置１では、選択済シングルアングル映像情報は、１又は複数のシングルアングル映像情報がリスト化されたプレイリストであることが好ましい。
【０２１５】
マルチアングル映像情報からシングルアングル映像情報を再度選択する動作をユーザに要求することなく、ＲＥ層に記録された選択済シングルアングル映像情報をユーザに視聴させることができる。しかも、選択済シングルアングル映像情報はリスト化されたプレイリストとして記録されているため、必要とする記録容量は少なくて済み、多くの選択済シングルアングル映像情報をＲＥ層に記録することが可能となる。そして、空いた記録容量をバージョンアップ情報等の記録に活用することもできる。
【０２１６】
なお、プレイリストとは、ファイル管理情報の１つであって、ＲＯＭ層に記録されたアングル映像情報をユーザの好みに従って再生順序をリスト化したものである。例えば、タイトルや撮影対象ごとにリストを作成できるため、プレイリストを使用することにより、ユーザは、タイトルや撮影対象を基準にして、視聴したい情報（映像情報等）をすぐに再生することができる。
【０２１７】
さらに、光ディスク装置１では、映像表示制御部２５によって表示されるシングルアングル映像情報は、そのシングルアングル映像情報に対応するシングルアングル映像の属性を示すシングルアングル映像属性情報を含むことが好ましい。
【０２１８】
表示装置７には、シングルアングル映像属性情報が表示される。そして、そのシングルアングル映像属性情報として、例えば、撮影されたアングルの位置、撮影対象物との距離、撮影者、撮影日時などが挙げられる。
【０２１９】
従って、ユーザは、実際のシングルアングル映像そのものではなく、視聴を希望する１又は複数のシングルアングル映像情報をシングルアングル映像属性情報に基づいて選択することが可能となるため、選択動作を短時間で終わらせることができる。
【０２２０】
また、表示装置７に表示されるシングルアングル映像属性情報は、シングルアングル映像そのものよりも容量が小さいため、表示装置７にシングルアングル映像属性情報を表示する処理を行う際の光ディスク装置１への負荷を小さくすることができ、それゆえ、処理速度を上げることも可能となる。
【０２２１】
加えて、高速のＣＰＵやメモリ容量の大容量化が必要でなくなるため、光ディスク装置１の複雑化、高コスト化を防ぐことができる。
【０２２２】
さらに、光ディスク装置１では、選択映像記録制御部２７は、シングルアングル映像とシングルアングル映像に関するシングルアングル映像属性情報とを対応付けてＲＥ層に記録させることが好ましい。
【０２２３】
ＲＥ層に記録された１又は複数のシングルアングル映像情報を再生するときに、シングルアングル映像に対応する属性情報（撮影されたアングルの位置、撮影対象物など）も表示させることができる。そして、その属性情報を確認することにより、ユーザは、撮影されたアングルの位置、撮影対象物などを知ることができ、再生されたシングルアングル映像の詳細を正確に把握することができる。
【０２２４】
さらに、光ディスク装置１では、選択映像記録制御部２７は、１又は複数のシングルアングル映像情報を、シングルアングル映像が撮影された時間の順にＲＥ層に記録させることが好ましい。
【０２２５】
シングルアングル映像が撮影された時間の順に１又は複数のシングルアングル映像情報をＲＥ層に記録させておけば、撮影された時間の順序で１又は複数のシングルアングル映像情報を再生する場合に、光ピックアップ１２の移動距離を少なくすることができ、それにより再生処理の処理速度を速めることができるという効果を奏する。
【０２２６】
さらに、光ディスク装置１では、映像表示制御部２５は、マルチアングル映像情報のすべてを表示装置７の一画面内に表示させることが好ましい。
【０２２７】
マルチアングル映像情報が表示装置７の一画面内に表示されるため、ユーザは、すべてのシングルアングル映像情報を一目で確認でき、選択すべきシングルアングル映像情報を容易かつ迅速に選択することができる。
【０２２８】
さらに、光ディスク装置１では、選択要求部２６がユーザに選択させた複数のシングルアングル映像情報を連続して再生する場合であって、再生される順序が隣り合う２つのシングルアングル映像情報の間に再生時間の非連続性が生じる場合に、その非連続性を埋めるための接続画像を挿入する映像挿入部２８を備えることが好ましい。
【０２２９】
再生される順序が隣り合う２つのシングルアングル映像情報であって、異なるアングル、異なる時間に撮影されたシングルアングル映像情報を連続的に再生する場合等において、２つのシングルアングル映像情報の再生時間に非連続性が生じることがある。そのような場合、何も表示されない状態の表示画面が発生するなど、その非連続性に起因して２つのシングルアングル映像情報のつなぎに不自然さが生じることがある。
【０２３０】
このとき、光ディスク装置１では、映像挿入部２８が、非連続性を埋めるための接続画像を２つのシングルアングル映像情報の間に挿入する。これにより、２つのシングルアングル映像情報の間のつなぎに生じていた不自然さを軽減することができる。
【０２３１】
なお、映像挿入部２８は、変形していく間の映像をコンピュータによって補完して作成するモーフィング技術、あるいは、輝度変化や色差変化を検出してつなぎ画像を自動生成するシーンチェンジ技術などの公知技術を適用することが可能である。
【０２３２】
さらに、光ディスク装置１では、接続画像は、ＲＯＭ層に記録されていることが好ましい。
【０２３３】
ＲＯＭ層に記録されたシングルアングル映像情報に好適な接続画像を予め準備しておくことができるため、ユーザは、シングルアングル映像情報を違和感なく視聴することができる。さらに、接続画像がＲＯＭ層に記録されているため、ユーザは、外部から接続画像を取得してくる手間を省くことができる。
【０２３４】
さらに、光ディスク装置１では、接続画像は、外部に接続したネットワークを介して取得されるものであり、選択映像記録制御部２７は、接続画像をＲＥ層に記録させることが好ましい。
【０２３５】
接続画像は外部から取得されるため、ユーザは、より多くの種類の接続画像を取得することができる。また、取得した接続画像はＲＥ層に記録されるため、ユーザの嗜好に合った接続画像をＲＥ層に蓄積していくことができる。
【０２３６】
さらに、光ディスク装置１では、選択要求部２６がユーザに選択させた選択済シングルアングル映像情報、または、映像表示制御部２５によって表示されたマルチアングル映像情報から、視聴を希望する１又は複数のシングルアングル映像情報を選択する選択例が、ＲＥ層に記録されている場合に、映像表示制御部２５は、選択要求部２６がユーザに選択させた結果を示す情報である選択結果情報、または、選択例を表示装置７に表示させることが好ましい。
【０２３７】
過去の選択結果、または予め記録されている選択例の有無や内容を知ることができるため、その選択結果そのものを選択、またはその選択結果を参考にして、新たに視聴を希望するシングルアングル映像情報を選択することができる。
【０２３８】
さらに、光ディスク装置１では、映像表示制御部２５によって表示されたマルチアングル映像情報から視聴を希望する１又は複数のシングルアングル映像情報を選択する選択例、または、選択要求部２６がユーザに選択させた選択済シングルアングル映像情報が光ディスク１００に記録されており、映像表示制御部２５は、映像情報読出部２４が読み出したマルチアングル映像情報の少なくとも一部と共に、選択例、または、選択済シングルアングル映像情報を表示装置７に表示させることが好ましい。
【０２３９】
映像情報読出部２４が読み出したマルチアングル映像情報の少なくとも一部と共に、選択例または選択済シングルアングル映像情報が表示装置７に表示される。従って、ユーザは、どのような選択例または選択済シングルアングル映像情報を視聴しているかを知ることができる。
【０２４０】
さらに、光ディスク１００では、ＲＥ層には、シングルアングル映像が再生される時間の順に１又は複数のシングルアングル映像情報が記録されていることが好ましい。
【０２４１】
シングルアングル映像が再生される時間の順に１又は複数のシングルアングル映像情報がＲＥ層に記録されていることにより、再生される時間の順序で１又は複数のシングルアングル映像情報を再生する場合に、光ピックアップ１２の移動距離を少なくすることができ、それにより再生処理の処理速度を速めることができるという効果を奏する。
【０２４２】
さらに、光ディスク１００では、ＲＯＭ層には、マルチアングル映像情報が再生される時間の順に区切られて記録されていることが好ましい。
【０２４３】
光ディスク１００が挿入される光ディスク装置１がＰｉｎＰ機能によりマルチアングル映像情報を表示して、かつその中から所望のマルチアングル映像情報をユーザに選択させる場合、光ピックアップ１２を内周から外周に動作させるだけでよく、往復動作する必要がないため、無駄な動作を省くことができるという効果を奏する。
【０２４４】
さらに、光ディスク１００では、ＲＯＭ層には、撮影されたアングルごとにマルチアングル映像情報が記録されていることが好ましい。
【０２４５】
１又は複数のシングルアングル映像情報が、撮影されたアングルごとにＲＯＭ層に記録されていることにより、例えばアングルごとにチャプター番号を付ける場合には、チャプター番号とアングル番号とを一致させることができる、といった構成を実現することが可能となる。そうすると、光ディスク装置１がユーザに選択させるためにマルチアングル映像情報を表示するとき、あるいは、光ディスク装置１が選択の結果をＲＥ層に記録するときに必要となる動作を容易にすることができる。
【０２４６】
さらに、光ディスク１００では、選択済シングルアングル映像情報が再生される際に、その再生順序を示す情報である再生順序情報がＲＯＭ層に記録されていることが好ましい。
【０２４７】
再生順序情報は、例えば、撮影された時間の順にシングルアングル映像を再生することを指示する情報であったり、あるいは、シングルアングル映像が、撮影されたアングルごとに再生されることを指示する情報である。このような再生順序情報は、ディスクサプライヤー（製造業者）や映像提供会社がＲＯＭ層に予め記録しておけばよく、ユーザは、自ら再生の順序を選択する手間をかけることなく、その再生順序情報に基づいてシングルアングル映像を再生することができる。
【０２４８】
なお、光ディスク装置１は、コンピュータによって実現してもよく、この場合には、コンピュータを各手段として動作させることにより光ディスク装置１をコンピュータにて実現させる光ディスク装置１の制御プログラム、およびそれを記録したコンピュータ読み取り可能な記録媒体も、本発明の範疇に入る。
【０２４９】
〔本発明の別表現〕
なお、本発明は、以下のようにも表現できる。
【０２５０】
本発明に係る光ディスクは、情報が記録された書き換え禁止領域（ＲＯＭ層）と、書き換え可能領域（Ｒ層又はＲＥ層）を有し、書き換え禁止領域のファイル管理情報が、書き換え禁止領域と、書き換え可能領域に記録されている構成であってよい。なお、ここで言う「ファイル管理情報」とは、物理的なものではなく、ファイル構成を認識するようなソフト的なものを意図している。
【０２５１】
上記構成により、ＲＥ層に記録された情報を読み込むだけで、全ファイルシステムおよびＲＯＭ層に記録されていた情報を取得することができる。特に、光ディスクを挿入した時点において、ＲＥ層からファイル管理領域を読み出す場合に上記構成は有用である。また、もともとＲＯＭ層に書かれている管理情報（例えばプレイリスト）をＲＥ層に記録するため、最新の情報に逐次更新することができる。例えば、ＲＯＭ層に１〜ｎ、ＲＥ層にｎ＋１〜Ｎの情報が記録されている場合、これらの関係をいずれかの層で認識しなければならない。この点、ＲＥ層に記録された情報が書き換わることで、ＲＯＭ層とＲＥ層のファイル管理情報をＲＥ層に一元管理することもできる。
【０２５２】
また、本発明に係る光ディスクは、複数のアングルから撮影されたマルチアングル映像情報が、上記書き換え禁止領域に記録されている構成であってよい。
【０２５３】
上記構成により、ＲＥ層を読み込むだけで、ＲＯＭ層に記録された内容がマルチアングル映像であるとわかる。また、ＲＥ層にプレイリストなどのＲＯＭ層に関連した情報が記録されている場合、ＲＥ層を読み込むだけで、ＲＥ層の記録内容とＲＯＭ層の関連がわかる。
【０２５４】
さらに、ＲＥ層にプレイリストを記録するときに、ＲＯＭ層の冒頭部までピックアップをシークする必要がない。従って、パーシャルＲＯＭ層の場合、シーク距離が短くなり、また、２層（コンビディスク）の場合、層間ジャンプをする必要がない。それゆえ、処理速度が速くなるとともに、記録再生装置が動作不良を起こして故障する確率を低下させることができる。
【０２５５】
また、本発明に係る光ディスクは、光ディスクのアドレスに対して、異なるアングルから撮影された映像が、特定の時間単位ごとに、順々に記録されている構成であってよい。
【０２５６】
具体的には、光ディスクには、時間Ｔ１における撮影映像アングル1-2-3・・、時間Ｔ２における撮影映像アングル1-2-3・・・と記録されている。これにより、ユーザに選択させるために全アングルの映像ＰｉｎＰ機能で表示するような場合には、ピックアップの移動距離が少なくて済むため、処理速度が速くなる（処理能力が高くなる）という効果を奏する。
【０２５７】
また、本発明に係る光ディスクは、記録媒体のアドレスに対して、異なるアングルから撮影された映像が、アングルごとに順々に記録されている構成であってよい。
【０２５８】
具体的には、光ディスクには、アングル1の全情報→アングル2の全情報→アングル3の全情報・・・と記録されている。これにより、チャプタ番号とアングル番号を一致させることができ、特にプレイリストをＲＥに記録する際、映像データの判別・整理が容易になるという効果を奏する。
【０２５９】
また、本発明に係る光ディスクは、異なるアングルから撮影された映像が、それぞれ別のチャプタとして記録されている構成であってよい。
【０２６０】
上記構成により、チャプタ番号とアングル番号を一致させることができ、特にプレイリストをＲＥ層に記録する際に、映像データの判別・整理が容易になるという効果を奏する。
【０２６１】
また、本発明に係る光ディスクは、異なるアングルから撮影された映像情報を再生する時間的順序の選択例が、あらかじめ記録されている構成であってよい。
【０２６２】
つまり、上記構成は、映像提供会社によって予め選択された再生の時間的順序の選択例（組み合わせ）が記録されているケースなどが該当する。これにより、予想される選択例が予め光ディスクに記録されていることになり、ユーザが自ら再生順序の組み合わせ等を考え、選択する手間を省くことができる。
【０２６３】
また、本発明に係る光ディスクは、上記選択例が、書き換え不可領域と書き換え可能領域に記録されている構成であってよい。
【０２６４】
これにより、ＲＯＭ層の情報は、誤って消去されることを防止できる。また、ＲＥ層の情報は、これをユーザの好みに合わせて変えることができる。
【０２６５】
また、本発明に係る記録再生装置は、書き換え禁止領域と書き換え可能領域を有する記録媒体に記録する記録/再生装置であって、書き換え禁止領域のファイル管理情報が、書き換え可能領域からも読み込める構成であってよい。
【０２６６】
上記構成により、ＲＥを読み込むだけで、全ファイルシステムおよびＲＯＭ層に記録された情報がわかる。特に、光ディスクを記録再生装置に挿入した辞典で、ＲＥ層から記録された情報を読み出す場合に有用である。
【０２６７】
また、本発明に係る記録再生装置では、上記記録/再生装置が、書き換え禁止領域に記録された情報に関連した情報を書き換え可能領域に記録/再生する記録/再生手段を備え、
該記録/再生手段は、書き換え可能領域を記録/再生する際に、書き換え可能領域に記録されている書き換え禁止領域のファイル管理情報を参照する構成であってよい。
【０２６８】
上記構成により、ＲＥ層に記録または再生する際に、ＲＥ層に記録されている情報（内容）がＲＯＭ層に記録されている情報と関連しているため、ＲＯＭ層の内容を読み出す必要があるものの、このとき、ＲＯＭ層の冒頭部までピックアップをシークする必要がない。また、パーシャルＲＯＭの場合、シーク距離が短くなり、２層（コンビディスク）の場合、層間ジャンプをする必要がない。よって、処理速度が速くなるとともに、記録再生装置の動作不良を起こして故障する確率を下げることができる。
【０２６９】
また、本発明に係る記録再生装置では、上記記録/再生装置が、書き換え可能領域に、書き換え禁止領域のプレイリストを記録する構成であってよい。
【０２７０】
上記構成により、情報が記録されているのと同じ光ディスクにプレイリストが記録されるため、別の記録再生装置でもそのプレイリストを再生することができるという効果を奏する。また、家族の人数分など、多くのアングルの組み合わせを記録できるという効果を奏する。
【０２７１】
また、本発明に係る記録再生装置では、記録媒体の書き換え禁止領域に複数のアングルから撮影されたマルチアングル映像情報が記録されており、上記記録/再生装置が、ユーザに、アングル映像情報を選択させる選択手段と、上記選択手段により選択された選択結果を、該記録媒体の書き換え可能領域に記録する記録手段と、上記記録手段により記録された選択結果に基づいて、マルチアングル映像情報を再生する再生手段とを有する構成であってよい。
【０２７２】
上記構成により、マルチアングル映像情報が記録されているのと同じ記録媒体に選択結果が記録されるため、別の記録再生装置でも選択結果を再生することができるという効果を奏する。
【０２７３】
また、本発明に係る記録再生装置では、上記選択手段により選択された選択結果が、上記選択手段により選択された映像情報そのものである構成であってもよい。
【０２７４】
上記構成により、マルチアングルに対応していない記録再生装置でも選択結果を再生することができる。一例として、選択作業をパソコンで行い、再生はマルチアングルに対応していない手持ちの記録再生装置で実行することができる。
【０２７５】
また、本発明に係る記録再生装置では、選択手段が、ユーザに選択させる際、撮影を行ったアングルに対する説明を表示する構成であってもよい。
【０２７６】
上記構成により、実際の映像を表示せず、アングルの動きなどを表示させて、ユーザに選択させることができる。従って、短時間で選択でき、また、選択手段が大掛かりでなく、コストがかからないという効果を奏する。
【０２７７】
また、本発明に係る記録再生装置では、選択結果を記録するとともに上記アングルに対する説明も記録し、再生時に再生アングルに対応した説明を、画面の一部に表示する構成であってよい。
【０２７８】
上記構成により、再生時に撮影対象とアングルの相対位置を知ることができる。
【０２７９】
また、本発明に係る記録再生装置では、記録再生装置がローカルメモリを備え、選択手段は、同じ映像情報の経過時間に対して、複数のアングルを選択可能であり、該選択された複数のアングルのうち、少なくとも１つのアングルの映像情報は、展開されたデータを書き換え可能領域に記録するとともに、プレイリストとしても記録し、該プレイリストの参照先を、該書き換え可能領域に記録されたデータとする構成であってよい。
【０２８０】
一般的に、映像データは、光ディスクにおいて圧縮されて記録されており、記録再生装置のローカルメモリに展開されて再生される。しかし、上記構成とすることにより、この展開データをそのままＲＥ層に記録することができるという効果を奏する。また、次回以降、圧縮された映像データを毎回展開する必要がない。
【０２８１】
また、本発明に係る記録再生装置では、選択されたアングルの切り替え部に、接続部を挿入する接続手段を備える構成であってもよい。
【０２８２】
上記構成により、例えばフェードアウト効果などをユーザの嗜好に沿って選択することができ、ユーザ好みの映像に仕上げることができる。また、上記構成により、不自然な接続を排除することができる。
【０２８３】
また、本発明に係る記録再生装置では、挿入する接続部が、記録媒体の書き換え禁止領域に記録されている構成であってもよい。
【０２８４】
上記構成により、ダウンロード等の動作を伴わず接続部を取得することができる。また、ＲＯＭ層に記録された映像に合った接続部を予め用意することができる。
【０２８５】
また、本発明に係る記録再生装置では、記録媒体に記録されていない接続部を挿入可能であり、該挿入された接続部を書き換え可能領域に記録するとともに、プレイリストとしても記録し、プレイアイテムの参照先を、該書き換え可能領域に記録されたデータとする構成であってよい。
【０２８６】
上記構成により、ダウンロードなどで得た接続部をＲＥ層に記録することができ、自由な接続部を利用することができるという効果を奏する。
【０２８７】
また、本発明に係る記録再生装置では、記録媒体にあらかじめ記録されている選択例および、過去にユーザが選択したプレイリストまたは選択結果を表示し、ユーザにこれらの選択の要否を問う機能を有する構成であってよい。
【０２８８】
上記構成により、最初に選択肢を表示することで、選択例や過去の選択肢の有無や内容を知ることができ、かつ、ユーザはすぐに映像を楽しむことができる。そして、好みのアングルを選択する場合においても、ユーザは選択肢を参考にすることができる。
【０２８９】
また、本発明に係る記録再生装置では、書き換え不可領域に記録されている情報に基づいて、ネットワークを介して、付加情報をダウンロードし、記録媒体に記録する構成であってよい。
【０２９０】
上記構成により、全アングルデータが存在しない場合には、ネットワークを介して、不足分のデータをＲＥ層にダウンロードすることができる。また、ＲＥ層にＲＯＭ層のファイル管理情報が記録されているため、ＲＥ層およびＲＯＭ層の関連性を明確にすることができる。
【０２９１】
〔補足〕
最後に、光ディスク装置１の各ブロック、特に制御部２０（ディスク装填確認部２２、映像情報読出部２４、映像表示制御部２５、選択要求部２６、選択映像記録制御部２７、及び映像挿入部２８）は、ハードウェアロジックによって構成してもよいし、次のようにＣＰＵを用いてソフトウェアによって実現してもよい。
【０２９２】
すなわち、光ディスク装置１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、前記光ディスク装置１に供給し、そのコンピュータ（又はＣＰＵやＭＰＵ）が記録媒体に記録されているプログラムコードを読み出し実行することによっても、達成可能である。
【０２９３】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２９４】
また、光ディスク装置１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２９５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２９６】
本発明は、記録特性の異なる情報記録層を複数備え、ＲＥ層又はＲ層に記録された情報を読み出すことにより、ＲＯＭ層に記録された情報を効率的に読み出すことが可能な記録再生装置に好適に適用することができる。
【符号の説明】
【０２９７】
１      光ディスク装置（記録再生装置）
２      スピンドル
３      ディスク装填認識部
４      格納部
５      メモリ（一次記録メモリ）
６      操作部
７      表示装置
８      インターネット端末装置
１０    記録再生回路群
１２    光ピックアップ
１３    ピックアップ駆動回路
１４    レーザ駆動回路
１５    検出回路
１６    スピンドル回路
２０    制御部
２２    ディスク装填確認部
２３    記録再生回路群制御部
２４    映像情報読出部（読出手段）
２５    映像表示制御部（表示制御手段）
２６    選択要求部（選択手段）
２７    選択映像記録制御部（記録制御手段）
２８    映像挿入部（挿入手段）
１００  光ディスク
１０１  ＢＣＡ
１０２  リードイン領域
１０３  ユーザデータ領域
１０４  リードアウト領域
Ｌ１層  第１情報記録層
Ｌ０層  第２情報記録層
【図１】
2011118978.tif 000003
【図２】
2011118978.tif 000004
【図３】
2011118978.tif 000005
【図４】
2011118978.tif 000006
【図５】
2011118978.tif 000007
【図６】
2011118978.tif 000008
【図７】
2011118978.tif 000009